(57)【要約】【課題】プロセスカートリッジと現像剤補給カートリッジとが共に装置本体に装着されている状態で、現像剤補給カートリッジ又はプロセスカートリッジを前記装置本体から取り出す際に、現像剤補給開口から現像剤が漏れるのを防止した現像剤補給カートリッジを提供する。【解決手段】プロセスカートリッジと補給カートリッジが装置本体に装着された状態で現像剤補給カートリッジが装置本体内から取り出される際に、現像剤補給カートリッジの補給側シャッタを閉鎖した後、プロセスカートリッジの受入側シャッタを閉鎖するように構成した補給側移動部、係合部材等を有する。【選択図】図１２
2011070236.tif 000002
【特許請求の範囲】
【請求項１】
電子写真感光体ドラムと、前記電子写真感光体ドラムに形成された静電潜像を現像するための現像ローラと、前記現像ローラによって現像に用いられる現像剤を受け入れるための現像剤受入開口を開放する現像剤受入許容位置と、前記現像剤受入開口を閉じる現像剤受入停止位置とを取り得る受入側シャッタ部と、前記受入側シャッタ部が前記現像剤受入許容位置と前記現像剤受入停止位置とをとり得るように、前記受入側シャッタ部と連動して移動する受入側移動部であって、前記受入側シャッタ部が前記現像剤受入許容位置に位置する状態で移動を規制されている受入側移動部と、を有するプロセスカートリッジに前記現像剤を供給する、電子写真画像形成装置の装置本体に取り外し可能に装着される現像剤補給カートリッジは以下を有する、
現像剤を収容する現像剤収容部と、
前記現像剤収容部に収容されている現像剤を排出するための現像剤補給開口と、
前記現像剤補給開口を開放して前記現像剤の補給を許容する現像剤補給許容位置と、前記現像剤補給開口を閉じて前記現像剤の補給を禁止する現像剤補給停止位置、とを取り得る補給側シャッタ部と、
前記プロセスカートリッジと前記補給カートリッジが前記装置本体に装着された状態で前記現像剤補給カートリッジが前記装置本体内から取り出される際に、移動を規制されている前記受入側移動部との係合によって移動して、前記補給側シャッタ部を前記現像剤補給許容位置から前記現像剤補給停止位置へ移動させる補給側移動部と、
前記現像剤補給カートリッジが前記装置本体内から取り出される状態で、前記現像剤補給カートリッジの下面よりも下方に突出している係合部材であって、前記現像剤補給カートリッジが前記装置本体内から取り出される取り出し方向において前記補給側移動部に対して上流側に設けられ、前記現像剤補給カートリッジが前記装置本体内から取り出される際に、前記補給側シャッタ部が前記現像剤補給開口を閉じた後に、前記受入側移動部の移動を解除して、かつ、前記受入側シャッタ部を前記現像剤受入許容位置から前記現像剤受入停止位置へ移動させる前記係合部材と、
を有することを特徴とする現像剤補給カートリッジ。
【請求項２】
電子写真感光体ドラムと、前記電子写真感光体ドラムに形成された静電潜像を現像するための現像ローラと、前記現像ローラによって現像に用いられる現像剤を受け入れるための現像剤受入開口を開放する現像剤受入許容位置と、前記現像剤受入開口を閉じる現像剤受入停止位置とを取り得る受入側シャッタ部と、前記受入側シャッタ部が前記現像剤受入許容位置と前記現像剤受入停止位置とをとり得るように、前記受入側シャッタ部と連動して移動する受入側移動部であって、前記受入側シャッタ部が前記現像剤受入許容位置に位置する状態で移動を規制されている受入側移動部と、を有するプロセスカートリッジに前記現像剤を供給する、電子写真画像形成装置の装置本体に取り外し可能に装着される現像剤補給カートリッジは以下を有する、
現像剤を収容する現像剤収容部と、
前記現像剤収容部に収容されている現像剤を排出するための現像剤補給開口と、
前記現像剤補給開口を開放して前記現像剤の補給を許容する現像剤補給許容位置と、前記現像剤補給開口を閉じて前記現像剤の補給を禁止する現像剤補給停止位置、とを取り得る補給側シャッタ部と、
前記プロセスカートリッジ及び前記現像剤補給カートリッジが装着されている前記装置本体から、前記プロセスカートリッジを取り出す状態で、前記現像剤補給カートリッジの下面よりも下方に突出している第一係合部材であって、前記プロセスカートリッジが前記装置本体内から取り出される取り出し方向において前記現像剤補給開口よりも下流側に設けられ、前記プロセスカートリッジが前記装置本体から取り出される際に、前記補給側シャッタ部が前記現像剤補給開口を閉じた後に、前記受入側移動部の移動を解除して、かつ、前記受入側シャッタ部を前記現像剤受入許容位置から前記現像剤受入停止位置へ移動させる前記第一係合部材と、
前記プロセスカートリッジ及び前記現像剤補給カートリッジが装着されている前記装置本体から、前記現像剤補給カートリッジを取り出す状態で、前記現像剤補給カートリッジの下面よりも下方に突出している第二係合部材であって、前記現像剤補給カートリッジが前記装置本体から取り出される取り出し方向において前記現像剤補給開口よりも上流側に設けられ、前記現像剤補給カートリッジが前記装置本体内から取り出される際に、前記補給側シャッタ部が前記現像剤補給開口を閉じた後に、前記受入側移動部の移動を解除して、かつ、前記受入側シャッタ部を前記現像剤受入許容位置から前記現像剤受入停止位置へ移動させる前記第二係合部材と、
前記プロセスカートリッジ及び前記現像剤補給カートリッジが前記装置本体に装着されている状態で、前記プロセスカートリッジを前記装置本体から取り出す際に、前記第一係合部材によって前記受入側シャッタ部が前記現像剤受入開口を閉じるのに先立って、移動を規制されている前記受入側移動部と係合して移動するのに連動して、前記補給側シャッタ部を前記現像剤補給許容位置から前記現像剤補給停止位置へ移動させる、かつ、前記プロセスカートリッジ及び前記現像剤補給カートリッジが前記装置本体に装着されている状態で、前記現像剤補給カートリッジが前記装置本体から取り出される際に、前記第二係合部材によって前記受入側シャッタ部が前記現像剤受入開口を閉じるのに先だって、移動を規制されている前記受入側移動部と係合して移動するのに連動して、前記補給側シャッタ部を前記現像剤補給許容位置から前記現像剤補給停止位置へ移動させる補給側移動部と、
を有することを特徴とする現像剤補給カートリッジ。
【請求項３】
前記補給側移動部は、その周面に沿って突起部と凹部とを交互に配置しており、前記現像剤補給カートリッジの下面に対して垂直に設けられていることを特徴とする請求項１又は請求項２に記載の現像剤補給カートリッジ。
【請求項４】
ここで、前記補給側シャッタ部は円筒部を有し、かつ、前記補給側移動部と連動して回転可能で、また、前記補給側シャッタ部は互いに向かい合って開口を有しており、かつ、ハウジング内に回転可能に設けられており、また、前記ハウジングは連通口を有しており、前記補給側シャッタ部が前記現像剤補給許容位置に移動して、前記補給側シャッタ部の前記開口が前記現像剤補給開口、及び、前記連通口と各々一致した際に、前記現像剤収容部から前記現像剤を排出することを特徴とする請求項１又は請求項２に記載の現像剤補給カートリッジ。
【請求項５】
更に、前記補給側シャッタ部を内部に有するハウジングの連通口をカバーするカバーを有し、前記カバーは弾性力によって前記連通口をカバーする位置に付勢されており、前記カバーは前記弾性力に抗して前記連通口をカバーする前記位置から退避することを特徴とする請求項１乃至請求項４のいずれか１項に記載の現像剤補給カートリッジ。
【請求項６】
前記第一係合部材と第二係合部材は、前記現像剤補給カートリッジの長手方向において、前記補給側移動部を挟んで一端側と他端側とに配置されていることを特徴とする請求項２に記載の現像剤補給カートリッジ。
【請求項７】
前記補給側移動部は回転する回転部材であって、前記補給側シャッタ部と連動して、前記現像剤補給停止位置から前記現像剤補給許容位置へ移動し、前記回転部材は現像剤補給カートリッジの下面と水平な軸線を中心にして回転可能で、かつ、前記現像剤補給カートリッジの長手方向と交差する方向に設けられていることを特徴とする請求項１乃至請求項６のいずれか１項に記載の現像剤補給カートリッジ。
【発明の詳細な説明】
【技術分野】
【０００１】
本発明は、電子写真画像形成装置本体に着脱可能な現像剤補給カートリッジに関する。
【０００２】
ここで、電子写真画像形成装置（以下、「画像形成装置」という）とは、電子写真画像形成プロセスを用いて記録媒体に画像を形成するものである。例えば、電子写真複写機、電子写真プリンタ（ＬＥＤプリンタ、レーザービームプリンタなど）、電子写真ファクシミリ装置、及び、電子写真ワードプロセッサーなどが含まれる。
【０００３】
ここで記録媒体とは、画像を形成される物であって、例えば、記録シート、ＯＨＰシート等である。
【背景技術】
【０００４】
従来、画像形成装置において、電子写真感光体及びこれに作用するプロセス手段を一体的にカートリッジ化し、このカートリッジを画像形成装置本体に着脱可能とするプロセスカートリッジ方式が採用されている。このプロセスカートリッジ方式によれば、装置のメンテナンスをサービスマンによらずにユーザ自身で行うことができる。そのため、操作性を向上させることができた。
【０００５】
また、現像剤補給カートリッジから現像剤の補給を受けるプロセスカートリッジが知られている。この補給式のプロセスカートリッジによれば、プロセスカートリッジを小型化できる。なぜならば、現像剤収容部を小型化できるからである。
【０００６】
このような現像剤補給方式においては、現像剤補給カートリッジには現像剤補給開口が設けられている。また、プロセスカートリッジには現像剤受入開口が設けられている。そして、現像剤補給開口と現像剤受入開口を連通させることにより、現像剤を現像剤補給カートリッジからプロセスカートリッジへ補給する。
【０００７】
また、ユーザが装置本体に対してプロセスカートリッジを着脱する場合に、現像剤が漏れることを防止する必要が有る。
【０００８】
また、ユーザが装置本体に対して現像剤補給カートリッジを着脱する場合に、現像剤が漏れることを防止する必要がある。
【０００９】
このため、現像剤補給開口と現像剤受入開口にはそれぞれ開閉可能なシャッタが設けられている。
【００１０】
従来、現像剤補給開口の開閉を行う構成としては、次の構成が知られている。即ち、現像剤補給カートリッジが装置本体に装着される際に、排出口シャッタが閉鎖位置から開放位置へ移動する力を受けるように、プロセスカートリッジと係合する力受け係合部を有する。また、現像剤補給カートリッジが装置本体から取り出される際に、排出口シャッタが開放位置から閉鎖位置へ移動する力をプロセスカートリッジから受ける。これによって、現像剤補給開口の開閉を行う方式である（特許文献１、図７参照）。
【００１１】
一方、現像剤受入開口の開閉を行うプロセスカートリッジの構成方式としては、次の構成が知られている。即ち、装置本体に係合部を有し、プロセスカートリッジが装置本体に対して着脱される動作に連動して、受入口シャッタに移動する力を与える。これによって、現像剤受入開口の開閉を行う方式である（特許文献１、図６参照）。
【先行技術文献】
【特許文献】
【００１２】
【特許文献１】特開２００１−２２２１６０号公報
【発明の概要】
【発明が解決しようとする課題】
【００１３】
上記公報に記載された技術によれば、現像剤補給カートリッジを画像形成装置本体へ着脱する動作、または、プロセスカートリッジを画像形成装置本体へ着脱する動作のどちらの場合でも現像剤補給開口の開閉を行うことができる。
【００１４】
そのため、現像剤補給カートリッジまたはプロセスカートリッジをそれぞれ独立に画像形成装置に着脱しても、現像剤補給開口の開閉を行うことができる。
【００１５】
よって、現像剤補給タイプのプロセスカートリッジを用いるにあたって、現像剤が漏れるのを防止した状態で、現像剤補給カートリッジとプロセスカートリッジを各々独立して画像形成装置本体に着脱することを実現できた。
【００１６】
従って、前記技術は、操作性に大変優れたものである。
【００１７】
本発明は、前述した従来例を更に発展させたものである。
【００１８】
本発明の目的は、プロセスカートリッジと現像剤補給カートリッジとが共に電子写真画像形成装置本体に装着されている状態で、現像剤補給カートリッジを前記装置本体から取り出す際に、現像剤補給開口から現像剤が漏れるのを防止した状態で及び現像剤受入開口から現像剤が漏れるのを防止した状態で、前記現像剤補給カートリッジを取り出すことのできる現像剤補給カートリッジを提供するものである。
【００１９】
本発明の他の目的は、プロセスカートリッジと現像剤補給カートリッジとが共に装置本体に装着されている状態で、プロセスカートリッジを前記装置本体から取り出す際に、現像剤補給開口から現像剤が漏れるのを防止した状態で及び現像剤受入開口から現像剤が漏れるのを防止した状態でプロセスカートリッジを取り出すことのできる現像剤補給カートリッジを提供するものである。
【００２０】
本発明の他の目的は、プロセスカートリッジと現像剤補給カートリッジとが共に装置本体に装着されている状態で、現像剤補給カートリッジを装置本体から取り出す際に、受入側シャッタが現像剤受入許容位置に位置する状態で、補給側シャッタを現像剤補給許容位置から現像剤補給停止位置へ移動することのできる現像剤補給カートリッジを提供するものである。
【００２１】
本発明の他の目的は、プロセスカートリッジと現像剤補給カートリッジとが共に装置本体に装着されている状態で、プロセスカートリッジを装置本体から取り出す際に、受入側シャッタが現像剤受入許容位置に位置する状態で、補給側シャッタを現像剤補給許容位置から現像剤補給停止位置へ移動することのできる現像剤補給カートリッジを提供するものである。
【００２２】
本発明の他の目的によれば、受入側シャッタを連動して移動する受入側移動部材を、補給側移動部材の移動に用いることができる現像剤補給カートリッジを提供するものである。
【００２３】
本発明の他の目的は、現像剤補給カートリッジとプロセスカートリッジとの相対的な移動によって、現像剤補給開口を開く、及び、又は閉じることのできる現像剤補給カートリッジを提供するものである。
【００２４】
本発明の他の目的は、画像形成装置本体にプロセスカートリッジが装着されていない状態で、現像剤補給カートリッジを装置本体内へ進入させたとしても、現像剤補給開口を開くことのない現像剤補給カートリッジを提供することにある。
【課題を解決するための手段】
【００２５】
上記目的を達成するための本発明に係る代表的な構成は、電子写真感光体ドラムと、前記電子写真感光体ドラムに形成された静電潜像を現像するための現像ローラと、前記現像ローラによって現像に用いられる現像剤を受け入れるための現像剤受入開口を開放する現像剤受入許容位置と、前記現像剤受入開口を閉じる現像剤受入停止位置とを取り得る受入側シャッタ部と、前記受入側シャッタ部が前記現像剤受入許容位置と前記現像剤受入停止位置とをとり得るように、前記受入側シャッタ部と連動して移動する受入側移動部であって、前記受入側シャッタ部が前記現像剤受入許容位置に位置する状態で移動を規制されている受入側移動部と、を有するプロセスカートリッジに前記現像剤を供給する、電子写真画像形成装置の装置本体に取り外し可能に装着される現像剤補給カートリッジは以下を有する、現像剤を収容する現像剤収容部と、前記現像剤収容部に収容されている現像剤を排出するための現像剤補給開口と、前記現像剤補給開口を開放して前記現像剤の補給を許容する現像剤補給許容位置と、前記現像剤補給開口を閉じて前記現像剤の補給を禁止する現像剤補給停止位置、とを取り得る補給側シャッタ部と、前記プロセスカートリッジと前記補給カートリッジが前記装置本体に装着された状態で前記現像剤補給カートリッジが前記装置本体内から取り出される際に、移動を規制されている前記受入側移動部との係合によって移動して、前記補給側シャッタ部を前記現像剤補給許容位置から前記現像剤補給停止位置へ移動させる補給側移動部と、前記現像剤補給カートリッジが前記装置本体内から取り出される状態で、前記現像剤補給カートリッジの下面よりも下方に突出している係合部材であって、前記現像剤補給カートリッジが前記装置本体内から取り出される取り出し方向において前記補給側移動部に対して上流側に設けられ、前記現像剤補給カートリッジが前記装置本体内から取り出される際に、前記補給側シャッタ部が前記現像剤補給開口を閉じた後に、前記受入側移動部の移動を解除して、かつ、前記受入側シャッタ部を前記現像剤受入許容位置から前記現像剤受入停止位置へ移動させる前記係合部材と、を有することを特徴とする。
【００２６】
また、本発明の他の手段としては、電子写真感光体ドラムと、前記電子写真感光体ドラムに形成された静電潜像を現像するための現像ローラと、前記現像ローラによって現像に用いられる現像剤を受け入れるための現像剤受入開口を開放する現像剤受入許容位置と、前記現像剤受入開口を閉じる現像剤受入停止位置とを取り得る受入側シャッタ部と、前記受入側シャッタ部が前記現像剤受入許容位置と前記現像剤受入停止位置とをとり得るように、前記受入側シャッタ部と連動して移動する受入側移動部であって、前記受入側シャッタ部が前記現像剤受入許容位置に位置する状態で移動を規制されている受入側移動部と、を有するプロセスカートリッジに前記現像剤を供給する、電子写真画像形成装置の装置本体に取り外し可能に装着される現像剤補給カートリッジは以下を有する、現像剤を収容する現像剤収容部と、前記現像剤収容部に収容されている現像剤を排出するための現像剤補給開口と、前記現像剤補給開口を開放して前記現像剤の補給を許容する現像剤補給許容位置と、前記現像剤補給開口を閉じて前記現像剤の補給を禁止する現像剤補給停止位置、とを取り得る補給側シャッタ部と、前記プロセスカートリッジ及び前記現像剤補給カートリッジが装着されている前記装置本体から、前記プロセスカートリッジを取り出す状態で、前記現像剤補給カートリッジの下面よりも下方に突出している第一係合部材であって、前記プロセスカートリッジが前記装置本体内から取り出される取り出し方向において前記現像剤補給開口よりも下流側に設けられ、前記プロセスカートリッジが前記装置本体から取り出される際に、前記補給側シャッタ部が前記現像剤補給開口を閉じた後に、前記受入側移動部の移動を解除して、かつ、前記受入側シャッタ部を前記現像剤受入許容位置から前記現像剤受入停止位置へ移動させる前記第一係合部材と、前記プロセスカートリッジ及び前記現像剤補給カートリッジが装着されている前記装置本体から、前記現像剤補給カートリッジを取り出す状態で、前記現像剤補給カートリッジの下面よりも下方に突出している第二係合部材であって、前記現像剤補給カートリッジが前記装置本体から取り出される取り出し方向において前記現像剤補給開口よりも上流側に設けられ、前記現像剤補給カートリッジが前記装置本体内から取り出される際に、前記補給側シャッタ部が前記現像剤補給開口を閉じた後に、前記受入側移動部の移動を解除して、かつ、前記受入側シャッタ部を前記現像剤受入許容位置から前記現像剤受入停止位置へ移動させる前記第二係合部材と、前記プロセスカートリッジ及び前記現像剤補給カートリッジが前記装置本体に装着されている状態で、前記プロセスカートリッジを前記装置本体から取り出す際に、前記第一係合部材によって前記受入側シャッタ部が前記現像剤受入開口を閉じるのに先立って、移動を規制されている前記受入側移動部と係合して移動するのに連動して、前記補給側シャッタ部を前記現像剤補給許容位置から前記現像剤補給停止位置へ移動させる、かつ、前記プロセスカートリッジ及び前記現像剤補給カートリッジが前記装置本体に装着されている状態で、前記現像剤補給カートリッジが前記装置本体から取り出される際に、前記第二係合部材によって前記受入側シャッタ部が前記現像剤受入開口を閉じるのに先だって、移動を規制されている前記受入側移動部と係合して移動するのに連動して、前記補給側シャッタ部を前記現像剤補給許容位置から前記現像剤補給停止位置へ移動させる補給側移動部と、を有することを特徴とする。
【発明の効果】
【００２７】
本発明によれば、現像剤補給カートリッジからプロセスカートリッジへ現像剤を補給する際に、現像剤が漏れるのを防止することができる。
【００２８】
本発明によれば、受入側シャッタと連動して移動する受入側移動部材を、補給側移動部材の移動に用いることができる。
【００２９】
プロセスカートリッジが装置本体に装着されている状態で、現像剤補給カートリッジを装置本体から取り出す本発明によれば、補給開口が現像剤を補給するのを停止した状態で、受入開口が現像剤を受け入れるのを停止することができる。
【００３０】
現像剤補給カートリッジが装置本体に装着されている状態で、プロセスカートリッジを装置本体から取り出す本発明によれば、補給開口が現像剤を補給するのを停止した状態で、受入開口が現像剤を受け入れるのを停止することができる。
【００３１】
また、本発明によれば、プロセスカートリッジが装置本体に装着されていない状態で、現像剤補給カートリッジを装置本体へ進入させたとして、補給開口が開放することがない。
【００３２】
また、本発明によれば、現像剤補給カートリッジが装置本体に装着されていない状態で、プロセスカートリッジを装置本体へ進入させたとしても、受入開口が開放することがない。
【図面の簡単な説明】
【００３３】
【図１】第１実施形態に係る電子写真方式のカラー画像形成装置の本体断面図である。
【図２】(ａ)は第１実施形態に係る電子写真方式のカラー画像形成装置に装着されるプロセスカートリッジ及び現像剤補給カートリッジの断面図である。(ｂ)は(ａ)に示した本体ガイド部分を拡大して図示した断面図である。
【図３】第１実施形態に係るプロセスカートリッジの斜視図である。
【図４】第１実施形態に係る現像剤補給カートリッジの斜視図である。
【図５】第１実施形態に係る電子写真方式のカラー画像形成装置へのプロセスカート リッジとトナー現像剤補給カートリッジの挿入形態の斜視図である。
【図６】現像剤補給カートリッジのシャッタ付近の分解斜視図である。
【図７】(ａ)は補給側シャッタによって補給開口が開放された状態を示す図、(ｂ)は補給側シャッタによって補給開口が閉じられている状態を示す図、(ｃ)は受入側シャッタによって受入開口が開放された状態を示す図、(ｄ)は受入側シャッタによって受入給開口が閉じられた状態を示す図である。
【図８】補給側移動部材と補給側シャッタの結合状態を示す正面図である。
【図９】プロセスカートリッジのシャッタ付近の分解斜視図である。
【図１０】受入側移動部材と受入側シャッタの結合状態を示す正面図である。
【図１１】装置本体にプロセスカートリッジが装着された状態で現像剤補給カートリッジを装着する際のシャッタ部の駆動構成を説明する動作状態図である。
【図１２】装置本体に現像剤補給カートリッジが装着された状態でプロセスカートリッジを装着する際のシャッタ部の駆動構成を説明する動作状態図である。
【図１３ａ】現像剤補給カートリッジの装置本体に対する長手方向での位置決めを説明する動作状態図である。
【図１３ｂ】現像剤補給カートリッジの装置本体に対する長手方向での位置決めを説明する動作状態図である。
【図１４】第２実施形態に係る現像剤補給カートリッジのシャッタ付近の分解斜視図である。
【図１５】第２実施形態に係るプロセスカートリッジのシャッタ付近の分解斜視図である。
【図１６】第２実施形態に係る装置本体に現像剤補給カートリッジが装着された状態でプロセスカートリッジを装着する際のシャッタ部の駆動構成を説明する動作状態図である。
【図１７】本発明の第一の実施形態における現像剤補給カートリッジのトナーシール巻取り部の構成を示す正面図である。
【図１８】本発明の第一の実施形態におけるプロセスカートリッジのトナーシール巻取り部の構成を示す正面図である。
【図１９】本発明の第三の実施形態における現像剤補給カートリッジの補給側移動部材に作用するストッパ構成の斜視図である。
【図２０ａ】本発明の第三の実施形態における現像剤補給カートリッジのストッパ付近の動作状態図である。
【図２０ｂ】本発明の第三の実施形態における現像剤補給カートリッジのストッパ付近の動作状態図である。
【図２０ｃ】本発明の第三の実施形態における現像剤補給カートリッジのストッパ付近の動作状態図である。
【図２１】本発明の第三の実施形態における現像剤補給カートリッジのアウターカバー構成の斜視図である。
【図２２ａ】本発明の第三の実施形態における現像剤補給カートリッジのアウターカバー付近の動作状態図である。
【図２２ｂ】本発明の第三の実施形態における現像剤補給カートリッジのアウターカバー付近の動作状態図である。
【図２２ｃ】本発明の第三の実施形態における現像剤補給カートリッジのアウターカバー付近の動作状態図である。
【図２２ｄ】本発明の第三の実施形態における現像剤補給カートリッジのアウターカバー付近の動作状態図である。
【図２２ｅ】本発明の第三の実施形態における現像剤補給カートリッジのアウターカバー付近の動作状態図である。
【図２３】本発明の第一の実施形態における現像剤補給カートリッジのシャッタ付近の斜視図である。
【図２４】本発明の第一の実施形態におけるプロセスカートリッジのシャッタ付近の斜視図である。
【図２５】本発明の第一の実施形態におけるプロセスカートリッジのトナーシール巻取り部の駆動構成を示す図である。
【図２６】本発明の第一の実施形態における現像剤補給カートリッジのトナーシール巻取り部の駆動構成を示す図である。
【図２７】現像剤補給カートリッジのシャッタ付近の分解斜視図である。
【図２８】プロセスカートリッジのシャッタ付近の分解斜視図である。
【発明を実施するための形態】
【００３４】
次に本発明の一実施形態に係る現像剤補給カートリッジ及びプロセスカートリッジを用いるカラー画像形成装置について図面を参照して説明する。
【００３５】
〔第１実施形態〕
［画像形成装置の全体構成］
まず画像形成装置の全体構成について、図１を参照して説明する。なお、図１は、画像形成装置の一態様であるフルカラーレーザビームプリンタ100の全体構成を示す縦断面図である。
【００３６】
画像形成装置100は、水平方向に並設された４個のプロセスカートリッジ７（７ａ，７ｂ，７ｃ，７ｄ）及び現像剤補給カートリッジ９（９ａ，９ｂ，９ｃ，９ｄ）を備えている。プロセスカートリッジ７および現像剤補給カートリッジ９は、それぞれ独立に画像形成装置100の装置本体100ａに着脱可能である。ここで、装置本体100ａとは、画像形成装置100の構成からプロセスカートリッジ７及び現像剤補給カートリッジ９を除いた構成である。プロセスカートリッジ７は、電子写真感光体ドラム１（１ａ，１ｂ，１ｃ，１ｄ）を有している。この電子写真感光体ドラム（以下、「感光体ドラム」という）１は、装置本体100ａに設けられた駆動手段（不図示）によって回転する。
【００３７】
プロセスカートリッジ７は、感光体ドラム１の周囲に、プロセス手段としての、帯電ローラ（帯電手段）２（２ａ，２ｂ，２ｃ，２ｄ）、現像手段４（４ａ，４ｂ，４ｃ，４ｄ）、及び、クリーニング手段８（８ａ，８ｂ，８ｃ，８ｄ）を有する。また、装置本体100ａには、感光体ドラム１の周囲に、スキャナユニット３（３ａ，３ｂ，３ｃ，３ｄ）、及び、中間転写体５が設けられている。中間転写体５には、感光体ドラム１の周面に形成された現像剤像が一次転写手段14（14ａ，14ｂ，14ｃ，14ｄ）により転写される。尚、一次転写手段14は、装置本体100ａに設けられている。
【００３８】
帯電ローラ２は感光体ドラム１に押圧され、感光体ドラム１表面を均一に帯電する。スキャナユニット３は画像情報に基づいて感光体ドラム１にレーザービームを照射して、感光体ドラム１に静電潜像を形成する。現像手段４（４ａ〜４ｄ）は、前記静電潜像に現像剤を付着させて現像剤像を形成する。即ち、現像手段４は、前記静電潜像を現像する。クリーニング手段８は、前記トナー像を転写後に、感光体ドラム１表面に残った現像剤を除去する。
【００３９】
ここで、感光体ドラム１と、前記プロセス手段としての、帯電ローラ２、現像手段４、クリーニング手段８は一体的にカートリッジ化されて、プロセスカートリッジ７を構成している。
【００４０】
画像形成の動作は、次の通りである。まず、画像形成タイミングに合わせて感光体ドラム１が回転される。そして、各々のプロセスカートリッジ７に対応するスキャナユニット３が順次駆動される。また、感光体ドラム１に接触しながら従動回転する帯電ローラ２に電圧が印加され感光体ドラム１の周面に一様な電荷を付与する。スキャナユニット３は、その感光体ドラム１の周面に画像信号に応じて選択的に露光を行う。これによって、感光体ドラム１の周面に静電潜像を形成する。現像手段４に設けられた現像ローラ17（17ａ〜17ｄ）は、前記静電潜像に現像剤を転移させる。これによって、現像ローラ17は、感光体ドラム１の周面に現像剤像を形成する。即ち、現像ローラ17は、現像剤を用いて、前記静電潜像を現像する。
【００４１】
その後、一次転写手段14に前記現像剤像と逆極性のバイアス電圧を印加する。これによって、感光体ドラム１に形成された現像剤像を中間転写体５上に一次転写する。
【００４２】
そして、各感光体ドラム１に形成された現像剤像（４色の現像剤像）を中間転写体５上に重ね合わせる。その後、中間転写体５に二次転写手段６が圧接される。そして、レジストローラ10によって所定の位置で待機していた記録媒体Ｓが中間転写体５と二次転写手段６のニップ部に送り出される。
【００４３】
尚、プロセスカートリッジ７ａには、イエロー色の現像剤が収容されている。プロセスカートリッジ７ｂには、マゼンタ色の現像剤が収容されている。プロセスカートリッジ７ｃには、シアン色の現像剤が収容されている。プロセスカートリッジ７ｄには、ブラック色の現像剤が収容されている。したがって、感光体ドラム１ａには、イエロー色の現像剤像が形成される。同様に、感光体ドラム１ｂにはマゼンタ色の現像剤像が形成され、感光体ドラム１ｃにはシアン色の現像剤像が形成され、感光体ドラム１ｄにはブラック色の現像剤像が形成される。
【００４４】
尚、前記プロセスカートリッジ７ａ、７ｂ、７ｃ、７ｄは、構成は同一であって、収容している現像剤の色が異なる。
【００４５】
二次転写手段６には現像剤と逆極性のバイアス電圧が印加されている。よって、中間転写体５上の現像剤像は、搬送されてきた記録媒体Ｓの表面に一括して二次転写される。
【００４６】
その後、記録媒体Ｓは、定着器11に搬送され、加熱、加圧されて前記現像剤像の定着が行われる。そして、記録媒体Ｓは、排出ローラ12によって排出トレイ13に排出される。これによって、画像形成を完了する。
【００４７】
尚、前記潜像の現像によって現像剤は消費される。現像剤は、消費されるのに伴って、現像剤補給カートリッジ９（９ａ、９ｂ、９ｃ、９ｄ）（後述する）から順次補給される。
【００４８】
尚、現像剤補給カートリッジ９ａ、９ｂ、９ｃ、９ｄは、構成は同一であって、収容している現像剤の色が異なる。
【００４９】
また、100ｂはプロセスカートリッジ装着部であって、プロセスカートリッジ７を取り外し可能に装着する空間である.
また、100ｃは補給カートリッジ装着部であって、補給カートリッジ9を取り外し可能に装着する空間である.
両装着部100ｂ、100ｃは、装置本体100ａに設けられている。
【００５０】
［プロセスカートリッジ７、現像剤補給カートリッジ９の進入形態］
次に、図２乃至図５を用いて、プロセスカートリッジ７及び現像剤補給カートリッジ９を装置本体100ａへ挿入する形態を説明する。
【００５１】
まず、操作者が、装置本体100ａに設けられているカートリッジカバー110を開く（図５）。そして、操作者が、プロセスカートリッジ７を感光体ドラム１の長手方向に沿って装置本体100ａ内へ進入させる（図中矢印Ａ方向）。また、操作者が、現像剤補給カートリッジ９を補給側現像剤収容部33の長手方向に沿って装置本体100ａ内へ進入させる（図中矢印Ａ方向）。即ち、両プロセスカートリッジ７、９共にその長手方向に進入する。尚、プロセスカートリッジ７、現像剤補給カートリッジ９への装置本体100ａからの駆動力の入力は、進入方向奥側（装置本体100ａの奥側）にて行われる。
【００５２】
現像剤補給カートリッジ９は、現像剤補給カートリッジ９の被ガイド部42ａ，42ｂ（図２）を装置本体100ａに設けた本体レール101ａ，101ｂに乗せて挿入していく。
【００５３】
また、プロセスカートリッジ７は、被ガイド部43ａ，43ｂ（図２）を装置本体100ａに設けた本体レール102ａ，102ｂに乗せて進入させていく。
【００５４】
［プロセスカートリッジの構成］
次に、プロセスカートリッジ７の構成を、図２及び図３を用いて説明する。
【００５５】
図２に示すように、プロセスカートリッジ７は、それぞれ別体であるクリーニングユニット22と現像ユニット23とを回動可能に結合し一体化している。
【００５６】
クリーニングユニット22は、感光体ドラム１を回転可能に支持する枠体であるクリーニング容器15に、帯電ローラ２が設けられている。さらに、クリーニングユニット22には、クリーニング手段８であるクリーニングブレード８ｅなどが設けられている。クリーニングブレード８ｅは、感光体ドラム１に残留する現像剤を除去する。
【００５７】
一方、現像手段４の枠体構成は、現像剤を収容するためのプロセスカートリッジ側現像剤収容部としての受入側現像剤収容部16と、現像容器18とが超音波溶着等で結合されている。現像ユニット23は、現像剤収容部16と現像剤容器18とを有する。尚、現像容器18は、現像ローラ17を回転可能に支持している。新品のプロセスカートリッジ７には、現像剤収容部16内に所定の量の現像剤が予め収容されている。この現像剤は、新品の現像剤補給カートリッジ７を使用時に、現像剤補給カートリッジ９からの現像剤が充分に補給されるまでの画像形成に供される。
【００５８】
現像容器18には、現像ローラ17の他に、現像ローラ17の周面に付着する現像剤の層厚を規制するための現像ブレード19、及び、現像ローラ17に現像剤を補給するためのスポンジローラである現像剤供給ローラ20などが設けられている。
【００５９】
現像ユニット23はクリーニングユニット22に対して回動自在に支持されている。
【００６０】
プロセスカートリッジ７（７ａ〜７ｄ）が装置本体100ａに装着されている状態において、現像ユニット23（現像剤収容部16）の上部には現像剤補給カートリッジ９（９ａ〜９ｄ）が装着されている。また、現像剤収容部16の上部には、補給カートリッジ９からの現像剤を受け入れる現像剤受入開口16ａが配置されている。また、受入開口16ａの上部には受入開口16ａの開閉を行う受入側シャッタ65が配置されている。シャッタ65は回転することによって、受入開口16ａを開閉する。これによって、シャッタ65は、現像剤を受け入れるための受入開口16ａを開放する現像剤受入許容位置と、受入開口16ａを閉じる現像剤受入停止位置とを取り得る。そして、シャッタ65の上部には、プロセスカートリッジ７と現像剤補給カートリッジ９を接続するためのシール部材67（発泡ウレタン、フェルト等で形成されている）が配置されている。ここで、受入開口16ａは、補給カートリッジ９から現像剤収容部16内へ現像剤を受け入れるものである。装着部100ｂにはプロセスカートリッジ7が、その上方には、装着部100ｃに補給カートリッジ９が取り外し可能に装着されている（図1）。尚、プロセスカートリッジ7と補給カートリッジ９は、互いに独立して装置本体100ａに着脱可能である。
【００６１】
前記シール部材67は、補給カートリッジ９からプロセスカートリッジ７へ現像剤を補給する際に、両者の接続部分から現像剤が漏れるのを防止している。但し、前記シール部材67は、現像剤が漏れるのをより一層確実に防止するためのものであって、構成によっては無くても良い。
【００６２】
［現像剤補給カートリッジの構成］
次に、図２及び図４を用いて、現像剤補給カートリッジ９の構成を説明する。
【００６３】
補給カートリッジ９は、現像剤を収容するための、補給側現像剤収容部33を有する。プロセスカートリッジ７、補給カートリッジ９が装置本体に100ａに装着された状態において、現像剤収容部33の下部には、受入開口16ａに対応した現像剤補給開口34が設けてある。この補給開口34から受入開口16ａを介して、現像剤収容部33内の現像剤をプロセスカートリッジ７へ補給する。具体的には、プロセスカートリッジ７の受入側現像剤収容部16内へ現像剤が補給される。そして、補給開口34の上部には現像剤補給を行うためのスクリュー38が配置されている。スクリュー38は、本体100ａからの駆動力を受けて回転する。これにより、補給開口34に現像剤を搬送する。そして、補給開口34から受入開口16ａに現像剤を順次補給する。
【００６４】
また、現像剤収容部33内にはスクリュー38に現像剤を送る現像剤送り部材36（36ａ，36ｂ）が設けられている。そして、軸部36ａに回転駆動力が与えられることによって、前記軸部36ａに結合した現像剤搬送シート36ｂが回転する。これによって、搬送シート36ｂが現像剤をスクリュー38に送る。
【００６５】
また、補給開口34の下部には、開口34の開閉を行う補給側シャッタ35が配置されている。このシャッタ35は回転することによって開口34を開閉する。即ち、シャッタ35は、現像剤収容部33内の現像剤を受入開口を介してプロセスカートリッジ７内へ補給するための補給開口34を開放する現像剤補給許容位置をとり得る。またシャッタ35は、補給開口34を閉じる現像剤補給停止位置をとり得る。また、現像剤収容部33の下面には下方に向かって、現像剤補給カートリッジ９が装置本体100ａに進入する進入方向から見て補給側連通口（以下「Ｔ容器連通口」という）44ａの後端側に第一係合部材31ｂが配置されている。また、先端側にも同様に第二係合部材31ａが配置されている。即ち、補給カートリッジ９を装置本体100ａに進入させる進入方向において、補給開口34の上流側に第一係合部材31ｂが配置されており、また、下流側に第二係合部材31ａが配置されている（図２、図６）。
【００６６】
［現像剤補給カートリッジのシャッタ機構］
次に、図６乃至図８、図17、図23、及び図26を用いて、本実施形態に係る補給カートリッジ９のシャッタ機構の構成を説明する。
【００６７】
図６は補給カートリッジ９のシャッタ35（補給側シャッタ部）（回転部材）付近の分解斜視図である。図７(ａ)は補給側シャッタ35によって補給開口34が開放された状態を示す図、図７(ｂ)は補給側シャッタ35によって補給開口34が閉じられている状態を示す図である。また図７(ｃ)は受入側シャッタ65によって受入開口16ａが開放された状態を示す図、図７(ｄ)は受入側シャッタ65によって受入開口16aが閉じられた状態を示す図である。図８は補給側移動部材（補給側移動部）32とシャッタ35の結合状態を示す正面図である。図26は補給カートリッジ９のトナーシールを巻き取る巻取り部の駆動構成を示す図である。図17は前記巻取り部の構成を示す正面図である。図23はシャッタ35付近の斜視図である。
【００６８】
現像剤収容部33の下面９ｅにはＴハウジング44が固定されている。そして、Ｔハウジング44には、上方にＴハウジング開口44ｄと下方にＴ容器連通口44ａとが配置されている。現像剤収容部33内の現像剤は、開口44ｄと連通口44ａとを介してプロセスカートリッジ７（現像剤収容部16）内へ補給される。また、開口44ｄと連通口44ａの間には補給側シャッタ挿入部44ｂが設けられている。そして、挿入部44ｂでもってシャッタ35の円筒部35ａを回転自在に支持する。
【００６９】
尚、下面とは、補給カートリッジ９が装置本体100ａに装着された状態で、下方を向いた面である。
【００７０】
シャッタ35は、基体となる円筒部35ａの側端から該円筒の軸線方向外方へ向って突出した連結部35ｃが設けられている。そして、シャッタ35には、連通口35ｂが円筒部35ａを貫通するように対向して２箇所設けられている。尚、前記連通口35ｂは、前記軸線方向と交差する方向で、かつ開口34と連通口44ａに対向する位置に設けられている。そして、シャッタ挿入部44ｂの内周面に円筒部35ａの外周面を嵌合させる。これによって、シャッタ35が現像剤収容部33に回転自在に設けられる。
【００７１】
また、シャッタ挿入部44ｂの開口側には、補給側シャッタ挿入部蓋39が設けられている。蓋39は両端に腕部39ｂを有する。そして、それぞれの腕部39ｂに設けた孔部39ｃが、Ｔハウジング44の爪状の抜け止め部44ｃと係合する。これによって、蓋39はＴハウジング44に固定される。これによって、Ｔハウジング44からシャッタ35が脱落するのを防止する。
【００７２】
さらに、蓋39には開口39ａが設けられている。その開口39ａを通り、シャッタ35の連結部35ｃが突出している。
【００７３】
そして、蓋39から突出している連結部35ｃの先端部に、連動してシャッタ35を移動させる補給側移動部材（補給側移動部）32が固定されている。前記移動部材32は、シャッタ35の先端に設けられた先端凹部35ｃ１に挿入される先端凸部32ａを有する。そして、凹部35ｃ１に凸部32ａを圧入している。これによって、移動部材32は、シャッタ35に圧入固定されている。そして、移動部材32は、シャッタ35と一体に回転可能となる。即ち、移動部材32の回転と連動して、シャッタ35は回転する。
【００７４】
また、移動部材32には、プロセスカートリッジ７を装置本体100ａに着脱する動作に伴って、プロセスカートリッジ７から力を受けるための突起部32ｂ（32ｂ１，32ｂ２，32ｂ３，32ｂ４）と凹部32ｃ（32ｃ１，32ｃ２，32ｃ３，32ｃ４）とが交互に設けられている（図８参照）。
【００７５】
次に、補給カートリッジ９のシャッタ（補給側シャッタ部）付近の組み立て方法および動作について説明する。
【００７６】
まず、Ｔハウジング44のシャッタ挿入部44ｂへシャッタ35を挿入する。そして、シャッタ挿入部44ｂの開口側から蓋39で蓋をする。そして、蓋39の孔部39ｃをＴハウジング44の抜け止め部44ｃと係合させる。これによって、蓋39をＴハウジング44に固定する。その後、前記移動部材32の先端凸部32ａを補給側シャッタ35の先端凹部35ｃ１に圧入する。そして、Tハウジング４４を現像剤収容部33にビス（図示せず）等によって取り付けられる。
【００７７】
図７(ａ)は現像剤補給カートリッジ９とプロセスカートリッジ７が画像形成装置100に装着された状態を示すシャッタ付近の断面図である。
【００７８】
図７(ａ)において、互いのプロセスカートリッジ７，現像剤補給カートリッジ９が装着された際には、補給開口34および開口44ｄと、連通口44ａが補給側シャッタ連通口35ｂと対向する。従って、補給カートリッジ９からプロセスカートリッジ７へ現像剤の補給が可能な開放状態となる。この状態で開口34および開口44ｄの上部にあるスクリュー38（図２）が回転する。これにより、現像剤を開口34へ搬送する。そして、現像剤を補給開口34から受入開口16ａへ落下させる。
【００７９】
即ち、図７(ａ)に図示した状態は、シャッタ35が開口34を開放する現像剤補給許容位置に位置する状態である。
【００８０】
次に、図７(ｂ)は現像剤補給カートリッジ９とプロセスカートリッジ７のいずれか一方を画像形成装置本体100ａから取り出した状態を示すシャッタ付近の断面図である。
【００８１】
即ち、図７(ｂ)に図示した状態は、シャッタ35が開口34を閉じる現像剤補給停止位置に位置する状態である。
【００８２】
この状態では、シャッタ35の円筒部35ａの非開口部35ｄ（連通口35ｂが設けられていない部分）が補給開口34と開口44ｄ、及び、連通口44ａと対向する。
【００８３】
補給カートリッジ９あるいはプロセスカートリッジ７を装置本体100ａから取り出す際には、プロセスカートリッジ７の受入側移動部材（受入側移動部）62（後述する）から補給側移動部材32が力を受けて回転（移動）する。そして、移動部材32と連動してシャッタ35は、現像剤補給が可能な状態（図７(ａ)）から現像剤の補給を停止する状態（図７(ｂ)）へ矢印（Ｂ、Ｃ）（図７(ｂ) ）のいずれかの方向へ90度回転する。これにより、補給カートリッジ９の開口44ｄと連通口44ａとが共に連通口35ｂと対向しなくなる。これによって、開口44ｄが閉じられて、プロセスカートリッジ７への現像剤の補給が停止される。
【００８４】
つまり、補給カートリッジ９のシャッタの開閉はシャッタ35を90度毎に回転させることにより行う。
【００８５】
なお、現像剤収容部33とＴハウジング44との間には、Ｔトナーシール120が設けられている（図17）。Ｔトナーシール120の長手一端側120ａは補給開口34に固定されており、補給開口34を封止している。そして、Ｔトナーシール120の他端側120ｂは、巻取り軸121の円柱部121ａに固定されている。また、巻取り軸121は、円柱部121ａと一体に回転可能な駆動力受け部121ｂを有する。
【００８６】
そして、駆動力受け部121ｂは、補給カートリッジ９が装置本体100ａに装着された際に、装置本体100ａに設けられたＴ本体カップリング151から駆動力を受けるＴ駆動力受カップリング152を有する。そして、カップリング152のギア部152ａからアイドラギア153・154のギア列を介して駆動力を受ける（図26参照）。
【００８７】
ここで、補給カートリッジ９が新品（未使用）のときは、トナーシール120によって補給開口34は封止されていても良い。トナーシール120によって補給開口34が封止されている構成の場合には、補給カートリッジ９を装置本体100ａに装着した状態で、巻取り軸121が駆動力受け部121ｂを介して本体から駆動力を受けて矢印Ｄ方向へ回動する（図17）。
【００８８】
これによって、巻取り軸121がトナーシール120を巻き取って補給開口34を開放する。そして、トナーシール120を除去した後に補給カートリッジ９を装置本体100ａから取り出す際には、シャッタ35によって補給開口34を封止する。
【００８９】
尚、補給カートリッジ９が新品であることは、補給カートリッジ９に設けられたメモリ（不図示）の情報を装置本体100ａで認識することによって行う。
【００９０】
なお、本実施形態では、現像剤補給カートリッジ９は補給側シャッタ35が設けられている。そのために、必ずしもトナーシールを設けなくても補給開口34からの現像剤漏れは防止することは可能である。しかしながら、前述のようにトナーシールを設ける構成の場合には、現像剤補給カートリッジを運搬する時等に、現像剤が漏れることをより確実に防止できる。
【００９１】
また、本実施の形態では補給側シャッタ35と補給側移動部材32を別体化してある。しかし、蓋39を用いずに、図27に示すように、補給側シャッタ（補給側シャッタ部）95に例えばスナップフィット等の脱落防止部95ｅを設ける。これによって、シャッタ95がＴハウジング96の穴96ｅと係合させて脱落を防止する。これにより、シャッタ95と補給側移動部95ｆを一体化した構成にすることもできる。
【００９２】
なお、図27における補給側シャッタ95は前述した補給側シャッタ35と対応し、Ｔハウジング96はＴハウジング44と対応し、補給側移動部95ｆは補給側移動部材32と対応する。そして、連通口95ｂは連通口35ｂと対応し、非開口部95ｄは非開口部35ｄと対応する。また、Ｔ容器連通口96ａはＴ容器連通口44ａと対応し、補給側シャッタ挿入部96ｂは補給側シャッタ挿入部44ｂと対応し、Ｔハウジング開口96ｄはＴハウジング開口44ｄと対応する。
【００９３】
そして、更に、補給カートリッジ９は次の構成を有する。
【００９４】
補給カートリッジ９は、装置本体100ａに進入する進行方向において、補給開口34（補給側移動部材32）に対して上流側に、固設された第一係合部材31ｂを有する。第一係合部材31ｂは補給カートリッジ９が装置本体100ａへ進入する際であって、シャッタ35が補給開口34を開放するのに先立って、規制部材68（後述する）を移動させる。これにより、規制部材68による規制を解除する。そして、受入側移動部材62を移動可能状態とする。次いで、移動部材62の有する受入側第一作用部62ｂ1，62ｂ3（後述する）と係合して、移動部材62を回転させる。これにより、受入側シャッタ65を前記現像剤受入停止位置から前記現像剤受入許容位置へ移動させる。
【００９５】
更に、現像剤補給カートリッジ９は、装置本体100から取り出される取り出し方向において、補給開口34（補給側移動部材32）に対して上流側に固設された第二係合部材31aを有する。第二係合部材31aは、補給カートリッジ９が装置本体100から取り出される際であって、シャッタ35が補給開口34を閉じた後に、規制部材68と接触し、規制部材68を移動（回転）させる。これにより、規制部材68による規制を解除する。そして、移動部材62を移動可能状態とする。次いで、受入側移動部材62の有する受入側作用部とは異なった位置に設けられた受入側作用部と係合して、受入側移動部材62を回転させる。これにより、シャッタ65を前記現像剤受入許容位置から前記現像剤受入停止位置へ移動させる。
【００９６】
また、補給カートリッジ９が装置本体100ａに装着された状態で、補給側移動部材32は、補給カートリッジ９の下面９ｅに対して垂直方向に配置されている。そして、移動部材32は、下面９ｅと水平な軸線を中心にして回転可能である。
【００９７】
また、補給側シャッタ35は、補給カートリッジ９の下面９ｅと水平な軸線を中心にして回転可能な円筒である。
【００９８】
そして、補給側シャッタ35は、前記円筒の長手方向に沿って設けられた円筒開口が前記現像剤補給開口34と対向する。これによって、現像剤補給開口34を開放する。また、前記円筒の前記円筒開口以外の部分が受入開口16ａと対向することによって補給開口34を閉じる。
【００９９】
更に、補給側移動部材32は補給側作用部を有し、前記補給側作用部である突起部（32ｂ1、32ｂ2、32ｂ3，32ｂ4）と前記受入側作用部62ｂである突起部62ｂ１，62ｂ３（受入側第一作用部）、突起部62ｂ２，62ｂ４（受入側第二作用部）とが係合して、回転力を受ける。これによって、補給側シャッタ35を回転させる。
【０１００】
［プロセスカートリッジのシャッタ機構］
図９及び図10、図18、図24、図25を用いて、本実施形態のプロセスカートリッジ７のシャッタ機構について説明する。
【０１０１】
図９はプロセスカートリッジ７のシャッタ付近の分解斜視図である。図10は受入側移動部材62と受入側シャッタ65（受入側シャッタ部）（回転部材）の結合状態を示す正面図である。図18はプロセスカートリッジのトナーシールを巻き取る巻取り部の構成を示す正面図である。図24は、プロセスカートリッジ７のシャッタ付近の斜視図である。図25は前記巻取り部の駆動構成を示す図である。
【０１０２】
図９に示す通り、プロセスカートリッジ７のシャッタ機構は補給カートリッジ９のシャッタ機構と同様の構成を用いている。現像ハウジング45はＴハウジング44と対応する。また、現像ハウジング開口45ｄはＴハウジング開口44ｄと対応する。また、現像容器連通口45ａはＴ容器連通口44ａと対応する。そして、現像シャッタ挿入部45ｂは補給側シャッタ挿入部44ｂと対応する。また、受入側シャッタ65は補給側シャッタ35と対応する。そして、円筒部65ａは円筒部35ａと対応し、連結部65ｃは連結部35ｃと対応し、連通口（開口）65ｂは連通口35ｂと対応し、非開口部65ｄは非開口部35ｄと対応する。また、蓋69は蓋39と、腕部69ｂは腕部39ｂと、孔部69ｃは孔部39ｃと、開口部69ａは開口39ａと、先端凹部65ｃ１は先端凹部35ｃ１と対応する。これら対応する部分の構成は現像剤補給カートリッジ９の同様の部分と同じであるため詳細な説明は省略する。
【０１０３】
次に、受入側移動部材62について説明する。
【０１０４】
図10に示すように、シャッタ65の先端に固定された移動部材62はシャッタ65を移動するものである。即ち、シャッタ65は移動部材62の移動（回転）に連動する。移動部材62にはプロセスカートリッジ７を装置本体100ａに対して、着脱する動作に伴って補給カートリッジ９へ回転力を与えるための突起部62ｂ（62ｂ１，62ｂ２，62ｂ３，62ｂ４）と凹部62ｃ（62ｃ１，62ｃ２，62ｃ３，62ｃ４）が設けられている。突起部62ｂは、移動部材62の回転方向に沿って配置されている。なお、突起部62ｂ２の中央には、凹部62ｄ１設けられている。また、突起部62ｂ4の中央には、凹部62ｄ2設けられている。そして、突起部62ｂ２，62ｂ４が移動部材32の突起部32ｂ（32ｂ1、32ｂ2、32ｂ3，32ｂ4）と係合可能である。尚、突起部62ｂ１〜62ｂ４は受入側作用部である。特に、突起部62ｂ１，62ｂ３は受入側第一作用部、突起部62ｂ２，62ｂ４は受入側第二作用部である。ここで、凹部62ｄ１，62ｄ２は、移動部材32と補給側移動部材32とが係合する際に、突起部32ｂと突起部62ｂ２、62ｂ４との干渉を防止するために設けている。また、図10において、突起部62ｂ２、62ｂ４の部分を一点鎖線で囲んで図示している。
【０１０５】
さらに、現像剤収容部16には移動部材62の回転を規制するための規制部材68が設けられている。規制部材68は現像剤収容部16に設けられたスライドレール71，72の爪部71ａ，72ａによって、上下方向(矢印Ｅ方向)へスライド可能に設けられている。また、規制部材68は現像剤収容部16と規制部材68の間に設けられた圧縮バネ70のバネ力（弾性力）により常に上方に付勢されている。図10に示すように、このホームポジション（規制位置）では、規制部材68に設けられた規制凹部68ａと移動部材62の突起部62ｂ（62ｂ１，62ｂ２，62ｂ３，62ｂ４）とが順次係合できる構成となっている。これによって、移動部材62の回転が規制される。即ち、突起部62ｂが凹部68ａと嵌合することによって、移動部材62の回転が規制される。
【０１０６】
尚、ハウジング45の最上面には、連通口45ａに対応した開口67ａを有するシール部材67が配置されている。
【０１０７】
次に、プロセスカートリッジ７のシャッタ付近の組み立て方法および動作について説
明する。
【０１０８】
まず、ハウジング45のシャッタ挿入部45ｂへシャッタ65を挿入する。次に、シャッタ挿入部45ｂの開口側から蓋69で蓋をする。そして、蓋69の孔部69ｃをハウジング45の抜け止め部45ｃと係合させる。これによって、シャッタ65をハウジング45に固定する。その後、移動部材62の先端凸部62ａをシャッタ65の先端凹部65ｃ１に圧入する。そして、規制部材68を現像剤収容部16の外側からスライドレール71，72の爪部71ａ，72ａに嵌め込む。その後、バネ70を規制部材68と現像剤収容部16との間に取り付ける。次にシール部材67をハウジング45の連通口45ａ側に取り付ける。そして、現像ハウジング45をビス（図示せず）等によって現像剤収容部16に固定する。
【０１０９】
シャッタ65も、前述したシャッタ35と同様に開閉する。すなわち、受入側シャッタ65が90度回転するごとに、プロセスカートリッジ７は現像剤補給カートリッジ９から現像剤受入を可能な状態（現像剤受入許容位置）（図7（ｃ））と、現像剤受入不可能な閉鎖状態（現像剤受入停止位置）（図7（ｄ））となる。
【０１１０】
つまり、受入開口16ａの開閉は、受入側移動部材62を90度毎に回転させるのに連動させてシャッタ65を回転させることにより行う。
【０１１１】
なお、補給カートリッジ９と同様に現像剤収容部16と現像ハウジング45との間には、Ｄトナーシール130が設けられている（図18）。Ｄトナーシール130の長手一端側130ａは現像剤収容部16に固定されており、受入開口16ａを封止する。そして、前記Ｄトナーシール130の他端側130ｂは、巻取り軸131の円柱部131ａに固定されている。また、円柱部131ａと一体に回動可能な駆動力受け部131ｂを有する。
【０１１２】
そして、図25に示すように、プロセスカートリッジ７が装置本体100ａに装着された状態で、現像駆動力受カップリング156は装置本体100に設けられた現像本体カップリング155から駆動力を受ける。そして、駆動力受け部131ｂは、カップリング156のギア部156ａからアイドラギア157・158・159のギア列を介して駆動力を受ける。
【０１１３】
本実施の形態においては、プロセスカートリッジ７が新品（未使用）のときは、前述のトナーシール130によって受入開口16ａが封止されていても良い。トナーシール130によって受入開口16ａが封止されている構成の場合には、プロセスカートリッジ７を装置本体100ａに装着した状態で、巻取り軸131が駆動力受け部131ｂを介して本体から駆動力を受けて矢印Ｆ方向へ回転する（図18）。
【０１１４】
尚、プロセスカートリッジ７が新品であることは、プロセスカートリッジ７に設けられたメモリ（不図示）の情報を装置本体100ａで認識することによって行う。
【０１１５】
巻取り軸131がトナーシール130を巻き取って受入開口16ａを開放する。プロセスカートリッジ７を装置本体100ａから取り出す際に、シャッタ65によって受入開口16ａを封止する。
【０１１６】
なお、プロセスカートリッジの場合も現像剤補給カートリッジと同様に、受入側シャッタ65が設けられている。そのために、必ずしもトナーシールを設けなくても現像剤受入開口16ａからの現像剤の漏れは充分に防止できる。しかしながら、前述のようにトナーシールを設ける構成の場合には、プロセスカートリッジを運搬する時等に、現像剤が漏れることをより確実に防止できる。
【０１１７】
また、本実施の形態では受入側シャッタ65と受入側移動部材62を別体化してある。しかし、図28に示すように、蓋69を用いずに、受入側シャッタ（受入側シャッタ部）97に例えばスナップフィット等の脱落防止部97ｅを設けて、シャッタ97が現像ハウジング98の穴98ｅと係合させて脱落を防止する。これによって、シャッタ97と受入側移動部97ｆを一体化した構成にすることもできる。
【０１１８】
なお、図28において、シャッタ97は前述したシャッタ65に対応し、移動部材97ｆは移動部材62に対応し、現像ハウジング98は現像ハウジング45に対応する。そして、連通口97ｂは連通口65ｂに対応し、非開口部97ｄは非開口部65ｄに対応する。また、現像容器連通口98ａは現像容器連通口45ａに対応し、現像シャッタ挿入部98ｂは現像シャッタ挿入部45ｂに対応し、現像ハウジング開口98ｄは現像ハウジング開口45ｄに対応する。よって、前述した構成と、動作、機能は同じなので、説明は省略する。
【０１１９】
［シャッタ部の駆動構成］
次に、図11及び図12を用いて、補給カートリッジ９とプロセスカートリッジ７の着脱時におけるシャッタ35とシャッタ65の開閉動作について説明する。
【０１２０】
（現像剤補給カートリッジを装着する場合）
図11を用いて、装置本体100ａにプロセスカートリッジ７が装着されている状態で、補給カートリッジ９を装置本体100ａに装着する場合について説明する。尚、図11では動作を分かり易くするため、現像剤収容部33と現像剤収容部16の図示は省略している。また、シャッタ44と連通口45ｂ及びシャッタ65と連通口65ｂ及び第二係合部材31ａの係合部31ａ１と第一係合部材31ｂの係合部31ｂ１を点線で示す。
【０１２１】
補給カートリッジ９は、装置本体100ａに装着される前は、Ｔハウジング開口44ｄと連通口44ａは共に補給側シャッタ35の連通口35ｂと対向しない向き（図７(ｂ)の状態）に位置（現像剤受入停止位置）している。よって、プロセスカートリッジ７への現像剤の補給が停止されている閉鎖状態である。
【０１２２】
また、補給カートリッジ９が装置本体100ａから取り出された状態で、プロセスカートリッジ７を装置本体100ａに装着しても、移動部材62はどこからも力を受けない。従って、シャッタ65は回転しない。よってプロセスカートリッジ７は、現像剤受入が停止されている閉鎖状態のままである。
【０１２３】
また、規制部材68の規制凹部68ａと移動部材62の突起部62ｂ（62ｂ１もしくは62ｂ３）とが係合した状態となっている。そのため、移動部材62は回動（移動）を規制された規制状態となっている。
【０１２４】
そして、操作者が、前述の被ガイド部42ａ，42ｂを本体レール101ａ，101ｂに乗せて補給カートリッジ９を装置本体100ａ内へ進入させていく（図11(ｋ)の矢印Ａ方向）。
【０１２５】
補給カートリッジ９を図11(ｊ)の位置まで進入させると、第二係合部材31ａの係合部31ａ１が規制部材68のガイド面68ｂの斜面部68ｂ１と接触する。
【０１２６】
そして更なる補給カートリッジ９の進入に伴って、図11(ｉ)に示すように、斜面部68ｂ１が第一係合部材31ａ１にガイドされる。このため、押圧バネ70の弾性力によって上方の規制位置に付勢されていた規制部材68が、弾性力に抗して、現像剤収容部16の設けられている下方（図11(ｉ)の矢印Ｈ方向）の移動許容位置（回転許容位置）へ移動していく。
【０１２７】
補給カートリッジ９の係合部31ａ１がガイド面68ｂの平面部68ｂ２に到達すると規制部材68の規制凹部68ａと突起部62ｂ（図10中の62ｂ１もしくは62ｂ３）の係合が解除される。これにより、移動部材62は回転を許容された状態となる（図11(ｈ)）。
【０１２８】
その後、係合部31ａ１が規制部材68の平面部68ｂ２を滑りながら移動する。そして、係合部31ａ１が移動部材62の突起部６２ｂ（６２ｂ１もしくは６２ｂ３）と係合して移動部材62を反時計回り（図11(ｇ)に示す）に回転させる。移動部材62の回転に伴って、それに固定されている受入側シャッタ65も移動部材62と共に反時計回りに回転する。これにより、シャッタ65の連通口65ｂが、現像ハウジング開口45ｄ及び連通口45ａと連通する。即ち、シャッタ65が現像剤受入許容位置に位置（図７（ｃ））する。なお、凹部62ｃ（図10の62ｃ１もしくは62ｃ３）は係合部31a1が突起部６２ｂ（６２ｂ１もしくは６２ｂ３）と係合する際に進入する溝である。
【０１２９】
係合部31ａ１と移動部材62の係合が解除される位置まで補給カートリッジ９が進むと、シャッタ65が90°回転する。これによって、シャッタ65の回転が停止する。そして、連通口65ｂが受入開口16ａと対向する向き（図７(ｃ)の状態）に位置する。そして、補給カートリッジ９からの現像剤受入が可能な開放状態となる（図11(ｆ)）。
【０１３０】
図11(ｅ)〜図11(ｄ)に示すように、補給カートリッジ９をさらに装置本体100ａ内部へ進入させると、斜面部68ｂ３が係合部31ａ１にガイドされる。このため、規制部材68がバネ70の弾勢力（バネ力）によって、現像剤収容部16に対して上方（図11(ｅ)の矢印Ｇ方向）の規制位置へ移動していく。
【０１３１】
そして、補給カートリッジ９の係合部31ａ１がガイド面68ｂの斜面部68ｂ３から離れる。すると、規制部材68の規制凹部68ａに突起部62ｂ（図10の62ｂ２もしくは62ｂ４）が係合する。そして、移動部材62は回動を規制された状態に戻る（図11(ｃ)）。
【０１３２】
この状態から、さらに補給カートリッジ９を装置本体100ａ内部へ進入させる。これにより、移動部材32の突起部32ｂ（図８の32ｂ１もしくは32ｂ３）および凹部32ｃ（図８の32ｃ１もしくは32ｃ３）と移動部材62の突起部62ｂ（図10の62ｂ２もしくは62ｂ４）が係合する。この時、移動部材62は規制部材68によって回転を規制されている。従って、移動部材32は補給カートリッジ９の進入移動に伴って、移動部材62から力を受けて反時計回り（図11(ｃ)の矢印Ｉ方向）に回転する。移動部材32の回転に伴って、それに固定されているシャッタ35も移動部材32と共に反時計回りに回転する。そして、補給側シャッタ35の連通口35ｂが、ハウジング開口44ｄ及び連通口44ａと連通する（図11(ｃ)〜図11(ｂ)）。即ち、補給カートリッジ９のシャッタ35が現像剤補給許容位置に位置する。
【０１３３】
ここで、前述したプロセスカートリッジ７、補給カートリッジ９の構成と動作についてまとめると共に、本体100ａに対する位置決め構成を以下に述べる。
【０１３４】
プロセスカートリッジ７、及び、補給カートリッジ９は各々独立して装置本体100ａに着脱可能である。
【０１３５】
そしてプロセスカートリッジ７は、感光体ドラム１と、現像剤を用いて感光体ドラム１に形成された静電潜像を現像するための現像ローラ17を有する。また、プロセスカートリッジ７は、現像剤を受け入れるための現像剤受入開口16ａを開放する現像剤受入許容位置と、受入開口16ａを閉じる現像剤受入停止位置とを取り得る受入側シャッタ65を有する。また、プロセスカートリッジ７は、シャッタ65と連動して移動する受入側移動部材62であって、シャッタ65が前記現像剤受入許容位置に位置する状態で作用位置に位置する受入側作用部62ｂ２および６２ｂ４を有する受入側移動部材62を有する。そして、プロセスカートリッジ７は、前記作用部62ｂ２もしくは６２ｂ４が前記作用位置に位置する状態において移動部材62の移動を規制する規制部材68を有する（この状態を図11(ｅ)に示す）。ここで作用位置とは、作用部62ｂ２もしくは６２ｂ４が補給側移動部材32の有する突起部32ｂと係合して、補給側移動部材32、受入側移動部材62の相対的移動によって、補給側移動部材32を移動（回転）させる位置である。本実施形態では、作用位置においては、作用部62ｂ２もしくは６２ｂ４が最上位置に位置している（図11(ａ)〜(ｅ)）。
【０１３６】
そして、補給カートリッジ９は、前記現像剤を収容する補給側現像剤収容部33を有する。また、補給カートリッジ９は、現像剤収容部33内の現像剤を受入開口16ａを介してプロセスカートリッジ７内へ補給するためのＴハウジング開口44ｄと連通口44ａを連通させたトナー補給許容位置と、Ｔハウジング開口44ｄおよび連通口44ａを閉じる現像剤補給停止位置と、をとり得る補給側シャッタ35を有する。また、現像剤補給カートリッジ９は、前記作用位置に位置する状態で移動を規制されている前記作用部62ｂ２が前記突起部32ｂと係合する移動部材32を有する。そして移動部材32は、前記作用部62ｂ２もしくは６２ｂ４が前記突起部32ｂと係合することにより、補給カートリッジ９が前記装置本体100ａ内へ進入する際に移動して、シャッタ35を前記トナー補給停止位置から前記トナー補給許容位置へ連動して移動する（図11(ｄ)→図11(ａ)）。
【０１３７】
そして、更に補給カートリッジ９を装置本体100ａに進入すると、装置本体100ａ（図13(ｂ)に示す）に設けられた本体支持軸103に、補給カートリッジ９の被位置決め部40が突き当たる。尚、被位置決め部40は、補給カートリッジ９を装置本体100ａに進入させる進入方向から見て、補給カートリッジ９の先端側の端面に設けられている。この位置で、シャッタ35が90°回転する動作が終了し、補給カートリッジ９の装置本体100ａに対する装着が完了する。この時、補給側シャッタ65の回転が停止する。そして、連通口65ｂがＴハウジング開口45ｄ及び連通口45ａに対向する向き（図７(ｃ)の状態）に位置（現像剤補給許容位置）する。そして、現像剤補給開口34が開放状態となり、プロセスカートリッジ７へ現像剤を補給することが可能な状態となる（図11(ａ)）。
【０１３８】
このように、プロセスカートリッジ7が装置本体100ａに装着されている状態で、カートリッジ9を装置本体100ａに進入させる場合には、受入側移動部材62、受入側シャッタ65、及び、規制部材65の構成は、次のとおりである。
【０１３９】
まず、移動部材62は、シャッタ65が前記現像剤受入許容位置と前記現像剤受入停止位置とをとり得るように、シャッタ65を連動して移動させる。そして、移動部材62は、シャッタ65が前記現像剤受入許容位置に位置する状態で作用位置に位置する受入側作用部（受入側第二作用部）（突起部62ｂ２、62ｂ４）を有する。そして、規制部材65は、前記受入側作用部が前記作用位置に位置する状態で移動部材62の移動（回転）を規制している。
【０１４０】
そして、前述したとおり、カートリッジ9の移動部材32の構成は、次のとおりである。移動部材32は、カートリッジ9が装置本体100ａ内へ進入する際に、前記作用位置に位置する状態で規制部材68によって移動を規制されている移動部材62の受入側作用部（突起部62ｂ２、62ｂ４）との係合により移動（回転）する。そして、移動部材32は、シャッタ35を前記現像剤補給停止位置から前記現像剤補給許容位置へ連動して移動させる。これによって、シャッタ35は、補給開口34を開放する。
【０１４１】
このように、本実施形態によれば、シャッタ65が前記現像剤受入許容位置に位置する状態で作用位置に位置する前記受入側作用部を有する。そして、移動部材32は、前記受入側作用部（突起部62ｂ２、62ｂ４）との係合により移動して、シャッタ35を前記現像剤補給停止位置から前記現像剤補給許容位置へ移動させる。したがって、補給カートリッジ9を装置本体100ａに進入させる場合に、シャッタ65が必ず前記現像剤受入許容位置に位置している場合、即ち、受入開口16ａが開放している場合にしか、補給開口34は開放しない。従って、受入開口16ａが閉じているにもかかわらず、補給開口34が開放してしまうことを防止できる。よって、現像剤が補給開口34から漏れることを防止できる。
【０１４２】
また、本実施形態によれば、補給カートリッジ9を装置本体100ａに進入させる場合に、プロセスカートリッジ7が装置本体100ａに装着されていなければ、補給開口34が開放することはない。
【０１４３】
先に述べたように、補給カートリッジ９は装置本体100ａに設けられた本体レール（本体側ガイド）101ａ，101ｂに被ガイド部42ａ，42ｂを乗せて着脱を行う。ここで、本体レール101ａ、101ｂと被ガイド42ａ，42ｂとの間には挿入力を軽減し、かつ前述した補給カートリッジ９の位置決めに支障をきたさない。そのため、本体支持軸103と被位置決め部40との嵌合よりも大きなクリアランスを設けている。
【０１４４】
そして、断面方向で見て、移動部材32が配置されている側（図２の方向から見て左側）の被ガイド42ｂをガイドする。そのために、本体レール101ｂは、補給カートリッジ９の上下方向及び左方向へのズレを規制する。また、本体レール101ａは、現像剤補給カートリッジ９の下方向及び右方向へのズレを規制している。
【０１４５】
以下補給カートリッジ９と本体レール101について詳述する。図２(ｂ)に示す通り、被ガイド部42ｂは、側面被規制部42ｂ３、上面被規制部42ｂ１及び下面被規制部42ｂ２を有する。そして、前記現像剤補給カートリッジ９が前記装置本体100ａに進入する際に、前記装置本体100ａが有する本体レール101ｂによって被規制部42ｂ３、被規制部42ｂ１及び被規制部42ｂ２が規制される。即ち、被規制部42ｂ１は本体レール101ｂの有する上面規制部101ｂ１によって上方への移動を規制される。また、下面被規制部42ｂ２は本体レール101ｂの有する下面規制部101ｂ２によって下方への移動を規制される。同様に、側面被規制部42ｂ３は本体レール101ｂの有する側面規制部101ｂ３によって側方への移動を規制される。そして、移動部材32が移動部材62と係合して移動する状態で、被規制部42ｂ１が規制部101ｂ１によって上方へ移動するのを規制される。したがって、移動部材32は移動部材62と確実に係合して移動することができる。よって、補給側シャッタ35、及び、受入側シャッタ65の開閉を確実に行うことができる。
【０１４６】
ここで被ガイド部42ｂは、少なくとも、前述した補給側シャッタ35と、受入側シャッタ65及び規制部材68の図11(ｋ)〜図11(ａ)に示す動作中に、前記本体レール101ｂによってガイド可能となるように設定されている。
【０１４７】
従って、上記の図11(ｋ)〜図11(ａ)に示すように、シャッタ部材（35，65）と規制部材68の動作中は、図２から見た方向（断面方向）では本体レール101ｂによって、現像剤補給カートリッジ９の被ガイド部42ｂがガイドされる。そのため、現像剤補給カートリッジ９とプロセスカートリッジ７の断面方向での相対位置関係を保つことができる。
【０１４８】
（現像剤補給カートリッジを取り出す場合）
プロセスカートリッジ７及び現像剤補給カートリッジ９が装着されている装置本体100ａから補給カートリッジ９を取り外す場合には、上記説明とは逆の順序で動作する。即ち、図11の(ａ)→(ｂ)→(ｃ)→(ｄ)→(ｅ)→(ｆ)→(ｇ)→(ｈ)→(ｉ)→(ｊ)→(ｋ)に示す工程で動作する。従って前記工程で、補給側移動部材32、補給側シャッタ35、規制部材68、受入側移動部材62、受入側シャッタ65がそれぞれ動作する。
【０１４９】
まず、補給カートリッジ９は、前記現像剤を収容する現像剤収容部33を有する。また、補給カートリッジ９は、現像剤収容部33内の現像剤を現像剤受入開口16ａを介してプロセスカートリッジ７内へ補給するための現像剤補給開口34を開放する現像剤補給許容位置と、現像剤補給開口34を閉じる現像剤補給停止位置と、をとり得る補給側シャッタ35を有する。また、現像剤補給カートリッジ９は、前記作用位置に位置する状態で移動を規制されている前記作用部62ｂ２もしくは６２ｂ４が前記突起部32ｂと係合する補給側移動部材32（補給側移動部）を有する。そして移動部材32は、前記作用部62ｂ２が前記突起部32ｂと係合することにより、補給カートリッジ９が前記装置本体100ａから取り出される移動に伴って移動（回転）して、前記補給側シャッタ35を前記現像剤補給許容位置から前記現像剤補給停止位置へ連動して移動する（図11(ａ)→(ｅ)）。
【０１５０】
従って、補給カートリッジ９が外された後では、装置本体100ａ内に装着されているプロセスカートリッジ７のシャッタ65は、補給カートリッジ９の装置本体100ａからの取り出し動作によって連動して閉じられている。
【０１５１】
従って、補給カートリッジ９が装置本体100ａに装着されていない状態でプロセスカートリッジ７を取り出しても，プロセスカートリッジ７の受入開口16ａのシャッタ65は閉じた状態を保つ。また、プロセスカートリッジ７、補給カートリッジ９の両方が装置本体100ａに装着された状態から、補給カートリッジ９だけを装置本体100ａから取り出した場合でも、シャッタ65は必ず開口16ａを閉じた状態を保つことができる。
【０１５２】
このように、プロセスカートリッジ7が装置本体100ａに装着されている状態で、補給カートリッジ9を装置本体100ａから取り出す場合には、移動部材62、シャッタ65、及び、規制部材68の構成は、次のとおりである。
【０１５３】
まず、移動部材62は、シャッタ65が現像剤受入許容位置と前記現像剤受入停止位置とをとり得るように、受入側シャッタ65を連動して移動させる。また、移動部材62は、シャッタ65が前記現像剤受入許容位置に位置する状態で作用位置に位置する受入側作用部（受入側第二作用部）（突起部62ｂ２、62ｂ４）を有する。そして、規制部材68は、作用部（突起部62ｂ２、62ｂ４）が前記作用位置に位置する状態で移動部材62の移動を規制している。
【０１５４】
また前述したとおり、補給カートリッジ9の有する移動部材32は、補給カートリッジ9が装置本体100ａから取り出される際に、前記作用位置に位置する状態で規制部材68によって移動を規制されている移動部材62の前記受入側作用部（突起部62ｂ２、62ｂ４）との係合により移動する。そして、移動部材32は、シャッタ35を前記現像剤補給許容位置から前記現像剤補給停止位置へ連動して移動させる。
【０１５５】
このように本実施形態によれば、移動部材32は、補給カートリッジ9を装置本体100ａから取り出す際に、前記作用位置に位置する状態で規制部材68によって移動を規制されている移動部材62の受入側作用部（受入側第二作用部）（突起部62ｂ２、62ｂ４）との係合により移動（回転）する。したがって、本実施形態によれば、補給カートリッジ9を装置本体100ａから取り出す際に、補給開口34が閉じられた後に、受入開口16aを閉じる。よって、補給カートリッジ9を装置本体100ａから取り出す際に、受入開口16ａが閉じられた後に、補給開口34が閉じられることはない。よって、補給開口34から現像剤が漏れることを防止できる。次に、プロセスカートリッジ7が装置本体100ａに装着されている状態で、補給カートリッジ9を装置本体100ａに取り付ける、及び、装置本体100ａから取り出す場合には、移動部材62、シャッタ65、及び、規制部材68の構成は、次のとおりである。
【０１５６】
まず、移動部材62は、シャッタ65が前記現像剤受入停止位置に位置する状態で作用位置に位置する受入側第一作用部62b1又は62ｂ3と、受入側シャッタ65が前記現像剤受入許容位置に位置する状態で前記作用位置に位置する受入側第二作用部62ｂ2又は62ｂ4とを有する。
【０１５７】
そして、規制部材68は、第一作用部62b1又は62ｂ3又は第二作用部62ｂ2又は62ｂ4が前記作用位置に位置する状態で移動部材62の回転を規制する。
【０１５８】
また、プロセスカートリッジ7が装置本体100ａに装着されている状態で、補給カートリッジ9を装置本体100ａに取り付ける、及び、装置本体100ａから取り出す場合には、係合部材（第二係合部材）31ａ、補給側移動部材32、及び、補給側シャッタ35の構成は次のとおりである。
【０１５９】
まず、係合部材（第二係合部材）31ａは、補給カートリッジ9が装置本体100ａへ進入する際に、補給シャッタ35が補給開口34を開放するのに先立って、第一作用部62b1又は62ｂ3が前記作用位置に位置する状態で移動部材62の回転を規制している規制部材68と接触する。そして、係合部材31ａは、バネ70の弾性力に抗して規制部材68を下方へ移動させる。これによって、規制部材68による規制を解除する。そして、係合部材31ａは、移動部材62を移動可能状態とする。次いで、係合部材32ａは、第一作用部62b1又は62ｂ3と係合して、移動部材62を回転させるのに連動して、シャッタ65を前記現像剤受入停止位置から前記現像剤受入許容位置へ移動させる。即ち、受入開口16ａを開放する。
【０１６０】
また、係合部材31ａは、補給カートリッジ9を装置本体100ａから取り出す際に、補給側シャッタ35が補給開口34を閉じた後に、受入側第二作用部62ｂ2又は62ｂ4が前記作用位置に位置する状態で移動部材62の回転を規制している規制部材68と接触して、前記弾性力に抗して規制部材68を下方へ移動させる。これによって、規制部材68による規制を解除する。そして、係合部材32ａは、移動部材62を移動可能状態とする。
【０１６１】
次いで、係合部材32ａは、第二作用部62ｂ2又は62ｂ4と係合して、移動部材62を回転させるのに連動して、シャッタ35を前記現像剤受入許容位置から前記現像剤受入停止位置へ回転させる。即ち、受入開口16ａを閉じる。
【０１６２】
ここで、係合部材（第二係合部材）31ａは、補給カートリッジ9が装置本体100ａへ進入する進入方向において、補給開口34（補給側移動部材32）に対して下流側に固設されている
また、移動部材32は、補給カートリッジ9を装置本体100ａへ進入する際に、受入側シャッタ65が受入開口16ａを開放した後に、第二作用部62ｂ2又は62ｂ4が前記作用位置に位置する状態で規制部材68によって回転を規制されている移動部材62と係合して回転する。そして、補給側移動部材32は、その回転に連動して、補給側シャッタ35を前記現像剤補給停止位置から前記現像剤補給許容位置へ移動させる。即ち、補給開口34を開放する。
【０１６３】
また、移動部材32は、補給カートリッジ9を装置本体100ａから取り出す際に、受入側シャッタ65が受入開口16ａを閉じるのに先立って、受入側第二作用部62ｂ2又は62ｂ4が前記作用位置に位置する状態で規制部材68によって回転を規制されている移動部材62と係合して回転する。そして、移動部材32は、その回転に連動して、補給側シャッタ35を前記現像剤補給許容位置から前記現像剤補給停止位置へ移動させる。即ち、補給開口34を閉じる。
【０１６４】
本実施形態によれば、プロセスカートリッジ7が装置本体100ａに装着されている状態で、補給カートリッジ9を装置本体100ａに着脱する際に、補給開口34から現像剤が漏れることを防止できる。また、前述した実施形態によって得られる各効果が得られる。
【０１６５】
（プロセスカートリッジを装置本体に装着する場合）
次に、補給カートリッジ９が装着されている装置本体100ａにプロセスカートリッジ７を装着する場合について、図12を用いて説明する。
【０１６６】
プロセスカートリッジ７は装置本体100ａに装着される前は、プロセスカートリッジ７のハウジング開口45ｄと連通口45ａは共に連通口65ｂと対向しない向き（図７(ｄ)の状態）に位置（現像剤補給停止位置）している。即ち、シャッタ35が現像剤補給停止位置に位置している。このため、受入開口16ａはシャッタ35によって、補給カートリッジ９からの現像剤の受入が不可能な閉鎖状態となっている。また、規制部材68の規制凹部68ａは、移動部材62の突起部62ｂ（62ｂ１もしくは62ｂ３）と係合する状態となっている。そのため、移動部材62は回転（移動）を規制された規制状態となっている。
【０１６７】
また、プロセスカートリッジ７が装置本体100ａから取り出された状態で補給カートリッジ９を装置本体100ａに装着しても、移動部材32はどこからも力を受けない。よって、シャッタ35は回転しない。従って補給開口34は、プロセスカートリッジ７への現像剤補給が不可能な閉鎖状態となっている。即ち、シャッタ35は、現像剤補給停止位置に停止している。
【０１６８】
まず、前述した通り、被ガイド部43ａ、43ｂを本体レール102ａ、102ｂに乗せて、プロセスカートリッジ７を装置本体100ａ内へ進入させていく（図12(ｋ)の矢印Ａ方向）。
【０１６９】
プロセスカートリッジ７が図12(ｊ)の位置まで進入すると、補給カートリッジ９の第一係合部材31ｂの係合部31ｂ１が規制部材68のガイド面68ｂの斜面部68ｂ３と接触する。
【０１７０】
そして、プロセスカートリッジ７の更なる進入に伴って、図12(ｉ)に示すように、斜面部68ｂ３が係合部31ｂ１にガイドされる。このため、バネ70の弾勢力によって上方の規制位置に付勢されていた規制部材68が前記弾勢力（バネ力）に抗して、現像剤収容部16の設けられている下方（図12(ｉ)の矢印Ｈ方向）の許容位置へ移動していく。
【０１７１】
そして、補給カートリッジ９の係合部31ｂ１がガイド面68ｂの平面部68ｂ２に到達すると規制部材68の規制凹部68ａと突起部62ｂ（図10中の62ｂ１もしくは62ｂ３）との接触が解除される。これにより、移動部材62は回転を許容された状態となる（図12(ｈ)）。
【０１７２】
その後、係合部31ｂ１が規制部材68の平面部68ｂ２上を滑りながら移動し、移動部材62の突起部６２ｂ（６２ｂ１もしくは６２ｂ３）と係合して移動部材62を時計回り（図12(ｇ)に示す）に回転させる。移動部材62の回転に伴って、それに固定されているシャッタ65も移動部材62と共に時計回りに回転する。そして、シャッタ65の連通口65ｂが、ハウジング開口45ｄ及び連通口45ａと対向し、連通する。なお、凹部62ｃ（図10の62ｃ１もしくは62ｃ３）は係合部31ｂ1が突起部６２ｂ（６２ｂ１もしくは６２ｂ３）と係合する際に進入する溝である。
【０１７３】
更に、プロセスカートリッジ７が、係合部31ｂ１と移動部材62の係合が解除される位置まで進むと、シャッタ65が90°回転する。これによって、シャッタ65の回転が停止する。そして、連通口65ｂがハウジング開口45ｄ及び連通口45ａと対向する向き（図７(ｃ)の状態）に位置（現像剤補給可能位置）する。そして、プロセスカートリッジ７の有するシャッタ65は、補給カートリッジ９からの現像剤の受入が可能な開放状態となる（図12(ｆ)）。
【０１７４】
即ち、図12(ｅ)〜図12(ｄ)に示すようにプロセスカートリッジ７をさらに装置本体100ａ内へ進入させると、斜面部68ｂ１が係合部31ｂ１にガイドされる。このため、規制部材68がバネ70の弾勢力（バネ力）によって、現像剤収容部16の上方（図12(ｅ)の矢印方向）の規制位置へ移動していく。
【０１７５】
補給カートリッジ９の係合部31ｂ１がガイド面68ｂの斜面部68ｂ１から離れると、規制部材68の規制凹部68ａに突起部62ｂ（図10中の62ｂ２もしくは62ｂ４）が係合する。このため、移動部材62は回動を規制された状態に戻る（図12(ｄ)）。
【０１７６】
この状態から、さらにプロセスカートリッジ７を装置本体100ａ内へ進入させる。すると、移動部材32の突起部32ｂ（図８の32ｂ１もしくは32ｂ３）および凹部32ｃ（図８中の32ｃ２もしくは32ｃ４）と移動部材62の突起部62ｂ（図10中の62ｂ２もしくは62ｂ４）が係合する。この時、移動部材62は規制部材68によって回転を規制されている。よって、移動部材32は移動部材62から力を受けて時計回り（図12(ｃ)矢印Ｊ方向）に回転する。移動部材32の回転に伴って、それに固定されているシャッタ35も移動部材32と共に時計回りに回転する。すると、シャッタ35の連通口35ｂがＴハウジング開口44ｄ及び連通口44ａと対向して連通する（図12(ｃ)〜図12(ｂ)）。
【０１７７】
そして、装置本体100ａに設けられた本体支持軸（不図示）にプロセスカートリッジ７の被位置決め部が突き当たる。これによって、シャッタ35が90度回転する動作が終了する。そして、プロセスカートリッジ７の装置本体100ａに対する装着が完了する。この時、シャッタ35の回動が停止する。そして、連通口35ｂがＴハウジング開口44ｄおよび連通口44ａと対向する向き（図７(ａ)の状態）に位置する。そして、補給開口34が開放状態となり、プロセスカートリッジ７へ現像剤補給が可能となる（図12(ａ)）。
【０１７８】
ここで、プロセスカートリッジ７は次に記載する通りの受入側移動部材62を有する。
【０１７９】
移動部材62は、現像剤補給停止位置に位置する状態で作用位置に位置する受入側第一作用部（突起部）62ｂ３、62ｂ１と、受入側シャッタ65が現像剤補給許容位置に位置する状態で作用位置に位置する受入側第二作用部（突起部）62ｂ２、62ｂ４とを有する。そして、移動部材62は、連動してシャッタ65を移動させる。そして、移動部材62は、第一作用部62ｂ３、62ｂ１が前記第一作用位置に位置する状態で前記規制部材68によって移動を規制されている。また、移動部材62は、プロセスカートリッジ７が装置本体100ａに進入する際に、規制部材68が前記第一係合部材31ｂと接触することによって下方へ移動する。これによって移動部材62は前記規制部材68による規制を解除されて移動（回転）可能状態となる。次いで、移動部材62は、第一作用部62ｂ３、62ｂ１が第一係合部材31ｂと接触することによって移動するのに連動して受入側シャッタ65を前記現像剤補給許容位置へ移動する。次いで、移動部材62は、第二作用部62ｂ２、62ｂ４が前記作用位置に位置する状態で規制部材68により移動を規制されている。そして、移動部材62は、第二作用部62ｂ２、62ｂ４が補給側移動部材32と係合して、補給側移動部材32が移動（回転）するのに連動して、受入側シャッタ65を前記現像剤補給許容位置へ移動させる。
【０１８０】
また、補給カートリッジ９が装置本体100ａに装着されている状態で、プロセスカートリッジ７を装置本体100ａに装着する際に、補給カートリッジ９が有する第一係合部材31ｂ及び移動部材32は次の構成を有する。
【０１８１】
まず、第一係合部材31ｂは、プロセスカートリッジ７が装置本体100ａに進入する際に、シャッタ65が現像剤補給停止位置に位置する状態で移動部材62の移動を規制している規制部材68と接触する。そして規制部材68を下方へ移動する。これによって移動部材62は規制部材68の規制を解除する。これによって移動部材62は移動（回転）可能状態となる。次いで、第一係合部材31ｂは、移動部材62と接触して移動部材62を移動（回転）させるのに連動して受入側シャッタ65を前記許容位置へ移動させる。
【０１８２】
また、移動部材32は、前記作用位置に位置する状態で移動を規制されている移動部材62の作用部62ｂ２、62ｂ４と係合する。これにより、移動部材32は、プロセスカートリッジ７が装置本体100ａに進入する際に移動して、シャッタ35を前記現像剤補給停止位置から前記現像剤補給許容位置へ連動して移動する。
【０１８３】
このように、補給カートリッジ9が装置本体100ａに装着されている状態で、プロセスカートリッジ７を装置本体100ａに進入させる場合には、受入側移動部材62、及び、規制部材68の構成は次のとおりである。
【０１８４】
まず、移動部材62は、シャッタ65が現像剤受入停止位置に位置する状態で作用位置に位置する受入側第一作用部62b1又は62ｂ3と、シャッタ65が前記現像剤受入許容位置に位置する状態で前記作用位置に位置する受入側第二作用部62ｂ2又は62ｂ4とを有する。
【０１８５】
また、規制部剤68は、受入側第一作用部62b1又は62ｂ3が前記作用位置に位置する状態で、又は、前記受入側第二作用部62ｂ2又は62ｂ4が前記作用位置に位置する状態で移動部材62の移動（回転）を規制する。
【０１８６】
そして、プロセスカートリッジ7が装置本体100ａに進入する際に、規制部材68が係合部材（第一係合部材）31ｂと接触することによって規制部材68による規制を解除されて移動可能状態となる。次いで、第一作用部62b1又は62ｂ3が、係合部材31ｂと接触することによって移動（回転）するのに連動して、シャッタ65を前記現像剤受入許容位置へ移動させる。次いで、第二作用部62ｂ2又は62ｂ4が前記作用位置に位置する状態で、規制部材68により移動を再び規制される。そして、第二作用部62ｂ2又は62ｂ4が移動部材32と係合して移動部材32が移動（回転）するのに連動して、補給側シャッタ35を前記現像剤補給許容位置へ移動させる。即ち、補給開口34を開放する。
【０１８７】
また、補給カートリッジ9が装置本体100ａに装着されている状態で、プロセスカートリッジ７を装置本体100ａに進入させる場合には、係合部材（第一係合部材）31ｂ、補給側移動部材32、及び、補給側シャッタ35の構成は次のとおりである。
【０１８８】
まず、係合部材（第一係合部材）31ｂは、プロセスカートリッジ7が装置本体100ａに進入する際に、第一作用部62b1又は62ｂ3が前記作用位置に位置する状態で移動部材62の移動を規制している規制部材68と接触する。そして、規制部材68の規制を解除する。これによって、移動部材32を移動可能状態にする。次いで、係合部材31ｂは、第一作用部62b1又は62ｂ3と接触して、移動部材32を移動させるのに連動してシャッタ65を前記現像剤受入許容位置へ移動させる。即ち、受入開口16ａを開放する。
【０１８９】
また、プロセスカートリッジ7が装置本体100ａに進入する際に、補給側移動部材32は、係合部材31ｂがシャッタ65を前記現像剤受入許容位置へ移動させた後に、前記作用位置に位置する状態で規制部材68によって移動を規制されている移動部材62の有する受入側第二作用部62ｂ2又は62ｂ4との係合により移動（回転）する。そして、移動部材32は、シャッタ35を前記現像剤補給停止位置から前記現像剤補給許容位置へ連動して移動（回転）させる。これによって、補給開口34が開放する。
【０１９０】
このように、本実施形態によれば、プロセスカートリッジ7を装置本体100ａに進入する際に、第一作用部62b1又は62ｂ3が、係合部材31ｂと接触することによって移動（回転）するのに連動して、シャッタ65を前記現像剤受入許容位置へ移動させる。次いで、
第二作用部62ｂ2又は62ｂ4が移動部材32と係合する。そして、プロセスカートリッジ7の進入に応じて移動部材32が移動（回転）するのに連動して、シャッタ35を前記現像剤補給許容位置へ移動させる。即ち、補給開口34を開放する。
【０１９１】
従って、本実施形態によれば、プロセスカートリッジ7を装置本体100ａに進入する際に、受入開口16ａが必ず開放してから、補給開口34を開放する。よって、受入開口16ａが閉じているにもかかわらず、補給開口34を開放することがない。従って、本実施形態によれば、プロセスカートリッジ7を装置本体100ａに進入する際に、補給開口34から現像剤が漏れることを防止できる。
【０１９２】
また、本実施形態によれば、プロセスカートリッジ7を装置本体100ａに進入する際に、補給カートリッジ9が装置本体100ａに装着されていなければ、受入開口16ａを開放することがない。従って、補給カートリッジ9が装置本体100ａに装着されていないにもかかわらず、受入開口16ａを開放することがない。
【０１９３】
（プロセスカートリッジを装置本体から取り出す場合）
プロセスカートリッジ７及び現像剤補給カートリッジ９が装着されている装置本体100ａからプロセスカートリッジ７を取り外す場合には、上記説明とは逆の順序で動作する。即ち、図12の(ａ)→(ｂ)→(ｃ)→(ｄ)→(ｅ)→(ｆ)→(ｇ)→(ｈ)→(ｉ)→(ｊ)→(ｋ)の工程で動作する。前記工程で、移動部材32，補給側シャッタ35、規制部材68、移動部材62、及び、受入側シャッタ65がそれぞれ動作する。
【０１９４】
前述したとおり、装置本体100ａに着脱可能なプロセスカートリッジ７は、受入側シャッタ65を有する。シャッタ65は、現像ローラ17によって現像に用いられる現像剤を受け入れるための受入開口16ａを開放する現像剤受入許容位置と、現像剤受入開口16ａを閉じる現像剤受入停止位置とを取り得る。
【０１９５】
さらに、シャッタ65が前記現像剤受入許容位置と前記現像剤受入停止位置とをとり得るように、シャッタ65と連動して回転する受入側移動部材62を有する。移動部材62は、シャッタ65が前記現像剤受入許容位置に位置する状態で作用位置に位置する受入側作用部62ｂ2又は62ｂ4を有する。さらに、作用部62ｂ2又は62ｂ4が前記作用位置に位置する状態において移動部材62の移動を規制する規制部材68を有する。
【０１９６】
そして、上記装置本体に着脱可能であって、前記プロセスカートリッジ７に現像剤を補給する現像剤補給カートリッジ９は、現像剤を収容する現像剤収容部16を有する。さらに、補給側シャッタ35を有する。シャッタ35は、現像剤収容部16内の現像剤を受入開口16ａを介してプロセスカートリッジ内へ補給するための補給開口34を開放する現像剤補給許容位置と、補給開口34を閉じる現像剤補給停止位置と、をとり得る。さらに、第一係合部材（第一係合部材）31ｂを有する。第一係合部材31ｂは、プロセスカートリッジ７が装置本体100に進入する際に、シャッタ65が前記現像剤受入停止位置に位置する状態で移動部材62の移動（回転）を規制している規制部材68と接触する。そして、規制部材68の規制を解除して移動部材62を移動可能状態にする。次いで、第一係合部材31ｂは、移動部材62と接触して移動部材62を移動させるのに連動してシャッタ65を前記現像剤受入許容位置へ移動させる。さらに、補給側移動部材32を有する。移動部材32は、前記作用位置に位置する状態で前記規制部材68によって移動を規制されている移動部材62の有する作用部62ｂ2又は62ｂ4との係合により、プロセスカートリッジ７が装置本体100に進入する際に移動（回転）する。そして、移動部材32は、補給側シャッタ35を前記現像剤補給停止位置から前記現像剤補給許容位置へ連動して移動（回転）させる。
【０１９７】
即ち、受入側移動部材62は次の構成を有する。
【０１９８】
移動部材62は、シャッタ65が前記現像剤受入許容位置に位置する状態で作用位置に位置する作用部（突起部）62ｂ２、62ｂ４を有する。また、移動部材62は、連動してシャッタ65を移動させる。そして、移動部材62は、前記作用位置に位置する状態で規制部材68によって移動を規制されており、前記作用部62ｂ２が突起部32ｂと係合する。これにより、移動部材62は前記プロセスカートリッジ７が装置本体100ａから取り出される際に移動して、シャッタ35を前記現像剤補給停止位置へ移動させる。次いで、移動部材62は、規制部材68が第一係合部材31ｂと接触することによって移動（回転）可能状態になる。そして、移動部材62は、作用部（突起部）62ｂ２、62ｂ４が第一係合部材31ｂと接触することにより移動するのに連動して、シャッタ65を前記現像剤受入停止位置へ移動する。
【０１９９】
従って、装置本体100ａからプロセスカートリッジ７が外された後は、装置本体100ａ内に装着されている補給カートリッジ９の補給側シャッタ35は，プロセスカートリッジ７の装置本体100ａからの取り出し動作によって閉じられる。
【０２００】
このように、補給カートリッジ9が装置本体100ａに装着されている状態で、プロセスカートリッジ７を装置本体100ａから取り外す場合には、受入側移動部材62、受入側シャッタ65、及び、規制部材68の構成は次のとおりである。
【０２０１】
まず受入側移動部材62は、シャッタ65が前記現像剤受入許容位置に位置する状態で作用位置に位置する受入側作用部62ｂ２、62ｂ４を有する。移動部材62は、シャッタ65が前記現像剤受入許容位置と前記現像剤受入停止位置とをとり得るように、シャッタ65を連動して移動させる。そして、プロセスカートリッジ7が装置本体100ａから取り出される際に、前記作用位置に位置する状態で規制部材68によって移動を規制されている移動部材62の有する受入側作用部62ｂ２、62ｂ４が、補給側移動部材32と係合することにより移動部材32を移動（回転）させる。そして、移動部材32は、補給側シャッタ35を前記現像剤補給停止位置へ連動して移動させる。即ち、補給開口34を閉じる。次いで、移動部材62は、規制部材68が係合部材（第一係合部材）35ｂと接触することによって、規制部材68による規制を解除される。そして、移動部材62は、移動可能状態になる。次いで、移動部材62は、受入側作用部62ｂ２、62ｂ４が係合部材（第一係合部材）35ｂと接触することにより移動するのに連動して、シャッタ65を前記現像剤受入停止位置へ移動させる。即ち、受入開口16ａを閉じる。また、補給カートリッジ9が装置本体100ａに装着されている状態で、プロセスカートリッジ７を装置本体100ａから取り外す場合には、補給側移動部材32及び補給側シャッタ35の構成は次のとおりである。
【０２０２】
まず、移動部材32は、プロセスカートリッジ7が装置本体100ａから取り出される際に、シャッタ65が前記現像剤受入許容位置に位置する状態で規制部材68によって移動（回転）を規制されている移動部材62の有する作用部62ｂ２、62ｂ４との係合により移動（回転）する。そして、移動部材32は、シャッタ35を前記現像剤補給許容位置から前記現像剤補給停止位置へ連動して移動（回転）させる。即ち、補給開口34を閉じる。
【０２０３】
このように、本実施形態によれば、プロセスカートリッジ7が装置本体100ａから取り出される際に、受入側作用部62ｂ２、62ｂ４が、移動部材32と係合することにより移動部材32を移動（回転）させる。そして、移動部材32は、シャッタ35を前記現像剤補給停止位置へ連動して移動させる。次いで、移動部材62は、作用部62ｂ２、62ｂ４が係合部材（第一係合部材）31ｂと接触することにより移動するのに連動して、シャッタ65を前記現像剤受入停止位置へ移動させる。即ち、受入開口16ａを閉じる。
【０２０４】
従って、本実施形態によれば、プロセスカートリッジ7を装置本体100ａから取り出す際に、必ず補給開口34が閉じた後に、受入開口16ａが閉じられる。従って、本実施形態によれば、補給開口34が開放したままの状態で、受入開口16ａが閉じられることはない。
【０２０５】
よって、本実施形態によれば、プロセスカートリッジ7を装置本体100ａから取り出す際に、現像剤が漏れることを防止できる。
【０２０６】
次に、プロセスカートリッジ7が装置本体に装着された状態で、補給カートリッジ9を装置本体100ａに着脱する場合、及び、補給カートリッジ9が装置本体に装着された状態で、プロセスカートリッジ7を装置本体100ａに着脱する場合について説明する。
【０２０７】
プロセスカートリッジ7の有する受入側移動部材62、受入側シャッタ65、及び、規制部材68の構成は、前述した、プロセスカートリッジ7が装置本体100ａに装着されている状態で、補給カートリッジ9を装置本体100ａに着脱する場合と同じである。
【０２０８】
また、補給カートリッジ9の有する、第一係合部材（係合部材）31ｂ、第二係合部材（係合部材）32ｂ、及び、補給側移動部材32は次の構成を有する。
【０２０９】
まず、第一係合部材（係合部材）31ｂは、次の構成である。
【０２１０】
第一係合部材31ｂは、前記プロセスカートリッジが前記装置本体へ進入する際に、シャッタ35が補給開口34を開放するのに先立って、受入側第一作用部62b1又は62ｂ3が前記作用位置に位置する状態で移動部材62の回転を規制している規制部材68と接触する。そして、第一係合部材31ｂは、バネ70の弾性力に抗して規制部材68を下方へ移動させる。これによって、移動部材62は規制部材68による規制を解除される。そして、移動部材62は移動可能状態となる。次いで、第一係合部材31ｂは、第一作用部62b1又は62ｂ3と係合して、移動部材62を回転させるのに連動して、シャッタ65を前記現像剤受入停止位置から前記現像剤受入許容位置へ移動させる。即ち、受入開口16ａが開放する。
【０２１１】
また、第一係合部材31ｂは、プロセスカートリッジ7を装置本体100ａから取り出す際に、シャッタ65が受入開口16ａを閉じるのに先立って、受入側第二作用部62ｂ2又は62ｂ4が前記作用位置に位置する状態で移動部材62の回転を規制している規制部材68と接触する。そして、第一係合部材31ｂは、バネ70の弾性力に抗して規制部材68を下方へ移動させることによって前記規制部材68による規制を解除する。そして、移動部材62を移動可能状態とする。次いで、第一係合部材31ｂは、受入側第二作用部62b2又は62ｂ4と係合して、移動部材62を回転させるのに連動して、シャッタ65を前記現像剤受入許容位置から前記現像剤受入停止位置へ回転させる。即ち、受入開口16ａを閉じる。
【０２１２】
ここで、第一係合部材31ｂは、補給カートリッジ9が装置本体100ａへ進入する進入方向において、補給開口16ａ（補給側移動部材32）に対して上流側に固設されている．
次に、第二係合部材31ａについて説明する。
【０２１３】
第二係合部材31ａは、補給カートリッジ9が装置本体100ａへ進入する際に、シャッタ35が補給開口34を開放するのに先立って、受入側第一作用部62b1又は62ｂ3が前記作用位置に位置する状態で移動部材62の回転を規制している規制部材68と接触する。そして、規制部材68を前記弾性力に抗して下方へ移動させることによって規制部材68による規制を解除する。これによって、第二係合部材31ｂは、受入側移動部材62を移動可能状態とする。次いで、第二係合部材31ｂは、第一作用部62b1又は62ｂ3と係合して、移動部材62を回転させるのに連動して、シャッタ65を前記現像剤受入停止位置から前記現像剤受入許容位置へ移動させる、即ち、受入開口16ａを開放する。
【０２１４】
また、第二係合部材31ａは、補給カートリッジ9を装置本体100ａから取り出す際に、シャッタ35が補給開口34を閉じた後、第二作用部62ｂ2又は62ｂ4が前記作用位置に位置する状態で、移動部材62の回転を規制している規制部材68と接触する。そして、バネ70の弾性力に抗して規制部材68下方へ移動させる。これによって、規制部材68による規制を解除する。そして、移動部材62を移動可能状態とする。次いで、第二係合部材31ａは、第二作用部62ｂ2又は62ｂ4と係合して、移動部材62を回転させるのに連動して、シャッタ65を前記現像剤受入許容位置から前記現像剤受入停止位置へ回転させる。即ち、受入開口16ａを閉じる。
【０２１５】
ここで、第二係合部材31ａは、補給カートリッジが前記装置本体へ進入する進入方向において前記補給開口34（補給側移動部材32）に対して下流側に固設されている。
【０２１６】
次に、補給側移動部材32について説明する。
【０２１７】
まず、移動部材32は、プロセスカートリッジ7が装置本体100ａへ進入する際に、第一係合部材31ｂによってシャッタ65が受入開口16ａを開放した後に、第二作用部62ｂ2又は62ｂ4が前記作用位置に位置する状態で規制部材68によって回転を規制されている移動部材62と係合して回転する。そして、移動部材32は、この回転に連動して、シャッタ35を前記現像剤補給停止位置から前記現像剤補給許容位置へ移動させる。即ち、補給開口34を開放する。
【０２１８】
また、移動部材32は、プロセスカートリッジ7を装置本体100ａから取り出す際に、第一係合部材31ｂによってシャッタ65が受入開口16ａを閉じるのに先立って、第二作用部62ｂ2又は62ｂ4が前記作用位置に位置する状態で規制部材68によって回転を規制されている移動部材62と係合して回転する。そして、移動部材32は、その回転に連動して、シャッタ35を前記現像剤補給許容位置から前記現像剤補給停止位置へ移動させる。即ち、補給開口34を閉じる。
【０２１９】
また、移動部材32は、補給カートリッジ9が前記装置本体100ａへ進入する際に、第二係合部材31ａによってシャッタ65が受入開口16ａを開放した後に、第二作用部62ｂ2又は62ｂ4が前記作用位置に位置する状態で規制部材68によって回転を規制されている移動部材62と係合して回転する。そして、移動部材32は、この回転に連動して、シャッタ35を前記現像剤補給停止位置から前記現像剤補給許容位置へ移動させる。即ち、補給開口34を開放する。
【０２２０】
また、移動部材32は、補給カートリッジ9を装置本体100ａから取り出す際に、第二係合部材31ａによってシャッタ65が受入開口16ａを閉じるのに先立って、第二作用部62ｂ2又は62ｂ4が前記作用位置に位置する状態で規制部材68によって回転を規制されている移動部材62と係合して回転する。そして、移動部材32は、この回転に連動して、シャッタ35を前記現像剤補給許容位置から前記現像剤補給停止位置へ移動させる。即ち、補給開口34を閉じる。
【０２２１】
次に、プロセスカートリッジ7が装置本体に装着された状態で、補給カートリッジ9を装置本体100ａに進入させ場合、及び、補給カートリッジ9が装置本体に装着された状態で、プロセスカートリッジ7を装置本体100ａに進入させる場合について説明する。
【０２２２】
プロセスカートリッジ7の有する受入側移動部材62、及び、規制部材68の構成について説明する。
【０２２３】
移動部材62は、シャッタ65が現像剤受入許容位置と現像剤受入停止位置とをとり得るように、シャッタ65と連動して回転する。そして、移動部材62は、シャッタ65が前記現像剤受入停止位置に位置する状態で作用位置に位置する受入側第一作用部62b1又は62ｂ3と、シャッタ65が前記現像剤受入許容位置に位置する状態で前記作用位置に位置する受入側第二作用部62b2又は62ｂ4とを有する。
【０２２４】
また、規制部材68は、第一作用部62b1又は62ｂ3又は第二作用部62b2又は62ｂ4が前記作用位置に位置する状態で移動部材62の回転を規制する。
【０２２５】
次に、補給カートリッジ９の有する、第一係合部材31ｂ、第二係合部材31ａ、補給側移動部材32の構成について説明する。
【０２２６】
第一係合部材31ｂは、プロセスカートリッジ7が装置本体100ａへ進入する際に、シャッタ35が補給開口34を開放するのに先立って、第一作用部62b1又は62ｂ3が前記作用位置に位置する状態で移動部材32の回転を規制している規制部材68と接触する。そして、第一係合部材31ｂは、バネ70の弾性力に抗して規制部材68を下方へ移動させる。これによって、規制部材68による規制を解除する。そして、移動部材32を移動可能状態とする。、次いで、第一係合部材31ｂは、第一作用部62b1又は62ｂ3と係合して、移動部材32を回転させるのに連動して、シャッタ65を前記現像剤受入停止位置から前記現像剤受入許容位置へ回転させる。即ち、受入開口16ａを開放する。
【０２２７】
第二係合部材31ａは、補給カートリッジ9が装置本体100ａへ進入する際に、シャッタ35が補給開口34を開放するのに先立って、第一作用部62b1又は62ｂ3が前記作用位置に位置する状態で移動部材62の回転を規制している規制部材68と接触する。そして、第二係合部材31ａは、前記弾性力に抗して規制部材68を下方へ移動させる。これによって、規制部材68による規制を解除する。そして、移動部材62を移動可能状態とする。次いで、第二係合部材31ａは、第一作用部62b1又は62ｂ3と係合して、移動部材62を回転させるのに連動して、シャッタ65を前記現像剤受入停止位置から前記現像剤受入許容位置へ回転させる。これによって、受入開口16ａを開放する。
【０２２８】
また、補給側移動部32は、プロセスカートリッジ7が装置本体100ａへ進入する際に、第一係合部材31ｂによってシャッタ65が受入開口16ａを開放した後に、第二作用部62b2又は62ｂ4が前記作用位置に位置する状態で規制部材68によって回転を規制されている移動部材62と係合して回転する。そして、補給側移動部32は、この回転に連動して、シャッタ35を前記現像剤補給停止位置から前記現像剤補給許容位置へ回転させる。即ち、補給開口34を開放する。
【０２２９】
従って、本実施形態によれば、前述した各実施形態と同様の効果を得ることができる。
【０２３０】
プロセスカートリッジ7、及び、補給カートリッジ9が装置本体100ａに装着されている状態で補給カートリッジ9を取り出す、或いは、プロセスカートリッジ7を取り出す構成について説明する。
【０２３１】
プロセスカートリッジ7の有する受入側移動部材62、及び、規制部材68の構成は、前述した構成と同じである。
【０２３２】
次に、補給カートリッジ９の有する、第一係合部材31ｂ、第二係合部材31ａ、補給側移動部材32の構成について説明する。
【０２３３】
第一係合部材31ｂは、プロセスカートリッジ7を装置本体100ａから取り出す際に、シャッタ35が補給開口34を閉じた後に、第二作用部62b2又は62ｂ4が前記作用位置に位置する状態で前記移動部材62の回転を規制している規制部材68と接触する。そして、前記弾性力に抗して規制部材68を下方へ移動させる。これによって、第一係合部材31ｂは、規制部材68による規制を解除する。そして、移動部材62を移動可能状態とする。次いで、第一係合部材31ｂは、第二作用部62b2又は62ｂ4と係合して、移動部材62を回転させるのに連動して、シャッタ65を前記現像剤受入許容位置から前記現像剤受入停止位置へ回転させる。即ち、受入開口16ａを閉じる。
【０２３４】
また、第二係合部材31ａは、補給カートリッジ9を装置本体100ａから取り出す際に、シャッタ35が補給開口34を閉じた後に、第二作用部62b2又は62ｂ4が前記作用位置に位置する状態で移動部材62の回転を規制している規制部材68と接触する。そして、第二係合部材31ａは、規制部材68を前記弾性力に抗して下方へ移動させる。これによって、規制部材68による規制を解除する。そして、移動部材62を移動可能状態とする。次いで、第二係合部材31ａは、第二作用部62b2又は62ｂ4と係合して、移動部材62を回転させるのに連動して、シャッタ65を前記現像剤受入許容位置から前記現像剤受入停止位置へ回転させる。即ち、受入開口16ａを閉じる。
【０２３５】
本実施形態によれば、前述した各実施形態と同様の効果が得られる。
【０２３６】
尚、ここで、受入側移動部材62は、プロセスカートリッジ7が装置本体100ａに装着された状態で、プロセスカートリッジの上面に配置されている。また、移動部材62は、プロセスカートリッジ7の装置本体100ａに対する着脱方向に沿って回転するように、かつ、縦方向に回転するように配置されている。即ち、移動部材62は、プロセスカートリッジ7の長手方向と交差し、且つ、水平な軸線の回りに回転可能である。
【０２３７】
また、シャッタ65は、プロセスカートリッジ7が装置本体100ａに装着された状態で、プロセスカートリッジ7の上面に配置されている。また、回転部材としてのシャッタ65は円筒形状である。そして、プロセスカートリッジ7の装置本体100ａに対する着脱方向に沿って回転するように、かつ、縦方向に回転するように配置されている。即ち、シャッタ65は、プロセスカートリッジ７の長手方向と交差し、かつ、水平な軸線の回りに回転する円筒である。また、シャッタ65は、前記円筒の半径方向に連通する開口（連通口65ｂ）が設けられており、前記開口が受入開口16ａと対向することによって受入開口16ａを開放する。また、シャッタ65は、前記開口以外の部分が前記現像剤受入開口と対向することによって受入開口16ａを閉じる。
【０２３８】
尚、上面とは、プロセスカートリッジ7が装置本体100ａに装着された状態で、上方を向いた面である。必ずしも、最上位の面を意味するものではない。
【０２３９】
また、本実施形態では、受入側シャッタ65は円筒形状としたが、これに限定されるものではない。例えば、シャッタ65は回転する回転部材であれば良く、例えば円柱であっても良い。しかしながら、円筒形状は加工のし易さが優れている。尚、シャッタは、回転する構成に限定されるものではなく、例えば、スライド移動する構成であっても良い（後述する第２実施形態で、スライド移動する構成について説明する）。
【０２４０】
また、受入側第一作用部62ｂ1又は62ｂ3は、受入側移動部材62の周面に配置されている突起部を有する。そして、前記突起部が、係合部材（第一係合部材31ｂ、第二係合部材31ａ）と係合して回転力を受ける。これによって、受入側シャッタ65を回転させる。また、受入側第二作用部62ｂ2又は62ｂ4は、移動部材62の周面に配置されている突起部を有する。前記突起部が、移動部材32の有する補給側作用部32ｂ1、32ｂ2、32ｂ3、32ｂ4ｄの有する突起部と係合して回転力を与える。これによって、補給側シャッタ35を回転させる。
【０２４１】
本実施形態によれば、突起部同士の係合であるから、力の伝達がより確実に行われる。
【０２４２】
また、移動部材32は、補給カートリッジ9が装置本体100ａに装着された状態で、補給カートリッジ9の下面に配置されている。そして、移動部材32は、補給カートリッジ9の装置本体100ａに対する着脱方向に沿って回転するように、かつ、縦方向に回転するように配置されている。即ち、移動部材32は、補給カートリッジ9の長手方向と交差し、且つ、水平な軸線の回りに回転可能である。
【０２４３】
また、シャッタ35は、補給カートリッジ9が装置本体100ａに装着された状態で、補給カートリッジ9の下面に配置されている。また、回転部材としてのシャッタ35は円筒形状である。そして、補給カートリッジ9の装置本体100ａに対する着脱方向に沿って回転するように、かつ、縦方向に回転するように配置されている。即ち、シャッタ35は、プロセスカートリッジ７の長手方向と交差し、かつ、水平な軸線の回りに回転する円筒である。また、シャッタ65は、前記円筒の半径方向に連通する開口（連通口35ｂ）が設けられている。そして、開口（連通口35ｂ）が補給開口34と対向することによって補給開口34を開放し、開口（連通口35ｂ）以外の部分が補給開口34と対向することによって補給開口34を閉じる。
【０２４４】
尚、下面とは、補給カートリッジ9が装置本体100ａに装着された状態で、下方を向いた面である。必ずしも、最下位の面を意味するものではない。
【０２４５】
また、本実施形態では、シャッタ35は円筒形状としたが、これに限定されるものではない。例えば、回転する回転部材であれば良く、例えば円柱であっても良い。しかしながら、円筒形状は加工のし易さが優れている。尚、シャッタ35は、回転する構成ではなくて、スライド移動する構成であっても良い（後述する第２実施形態で、スライド移動する構成について説明する）。
【０２４６】
更に、移動部材32は補給側作用部32ｂ1、32ｂ2、32ｂ3、32ｂ4有する。そして、補給側作用部32ｂ1、32ｂ2、32ｂ3、32ｂ4の有する突起部が、受入側作用部62ｂ2、62ｂ4の有する突起部と係合して、回転力を受ける。これによって、シャッタ35を回転させる。
【０２４７】
このように、突起部同士が係合することによって力の伝達が行われるので、力の伝達がより確実に行われる。
【０２４８】
また、前述したとおり、本実施形態では、シャッタ35、65は回転する円筒（回転部材）である。そこで、本実施形態によれば、シャッタが平行移動する構成と比較して、現像剤が付着する領域が少なくて済む。
【０２４９】
尚、前述した作用位置とは次に述べる位置である。
【０２５０】
作用位置とは、プロセスカートリッジ7が装置本体100ａに装着された状態で、受入側移動部材62の受入側作用部（受入側第二作用部）62ｂ2、62ｂ4が、装置本体100ａに装着された状態の補給カートリッジ9の補給側移動部材32と向き合う位置である。本実施形態では、作用位置は、受入側移動部材62が回転する軌跡の内、最も上方に位置する。この作用位置で、受入側作用部62ｂ2、62ｂ4が係合部材31ａ又は31ｂから力を受けて受入側移動部材62を回転させる。或いは、この作用位置で、受入側作用部62ｂ2、62ｂ4が補給側移動部材32に力を与えて補給側移動部材32を回転させる。
【０２５１】
以上のように、プロセスカートリッジ７が装置本体100ａに装着されていない状態で現像剤補給カートリッジ９を装着しても、現像剤補給開口34が閉じた状態を維持する。また、両方のプロセスカートリッジ７、現像剤補給カートリッジ９が装置本体100ａに装着された状態で、プロセスカートリッジ７を取り出した場合でも、シャッタ35は現像剤補給開口34を必ず閉じた状態を維持できる。
【０２５２】
また、前述した各本実施形態にあっては、補給カートリッジ９とプロセスカートリッジ７の着脱順を問わない。そして、補給側移動部材32、受入側移動部材62は、移動部材32および移動部材62を縦方向（略垂直方向）に回動自在となっている。即ち、移動部材62は、プロセスカートリッジ7が装置本体100aに装着された状態でプロセスカートリッジ7の長手方向と交差し、水平な軸線の回りに回転可能である。また、同様に、移動部材32は、補給カートリッジ9が装置本体100aに装着された状態で、補給カートリッジ9の長手方向と交差し、水平な軸線の回りに回転可能である。
【０２５３】
尚、ここで、水平とは、地球の重力と直角に交わる方向のみを意味するものではない。本実施形態においては、水平とは、水平方向に対して上方へ15度傾斜している、及び、下方へ15度傾斜している範囲内である。移動部材32と移動部材62とが係合して、力の伝達を行うことのできる範囲ならば良い。また、シャッタ35、65を回転できる範囲ならば良い。
【０２５４】
これにより、従来の、横方向に回動自在な平坦な部材に補給口および封止部を設けた構成と比較して、断面方向において現像剤補給開口およびシャッタの面積をより小さくすることが可能である。従って、プロセスカートリッジ７および現像剤補給カートリッジ９を小型化でき、プロセスカートリッジ７および現像剤補給カートリッジ９を水平方向に４個並べた場合に、画像形成装置100の設置面積を小さくすることも可能である。
【０２５５】
また、プロセスカートリッジ７、補給カートリッジ９の装置本体100ａに対する装着順にかかわらず、プロセスカートリッジ７の受入開口16ａを開放した後、補給カートリッジ９の補給開口34を開放する。このため、プロセスカートリッジ７（現像剤収容部16）内に収容されている現像剤の上面を受入開口の近くまで上げることが出来る。よって、プロセスカートリッジ７の高さ方向での小型化が可能となる。即ち、装置本体100ａに補給カートリッジ９が装着されていない状態で、プロセスカートリッジ７を装置本体100ａへ装着したとしても、受入開口16ａは開放することはない。従って、プロセスカートリッジ７を装置本体100ａに装着した際の衝撃によって、現像剤が開口16ａから吹出すことない。よって、現像剤収容部16の上面７ｅの近くまで現像剤を収容することができる。
【０２５６】
さらに、プロセスカートリッジ７および補給カートリッジ９の装置本体100ａに対する装着順に関わらず、受入開口16ａを開放した後、補給開口34を開放する。従って、プロセスカートリッジ７、現像剤補給カートリッジ９を装置本体100ａに装着する際に、現像剤が飛散するのを抑制できる。
【０２５７】
また、プロセスカートリッジ７、補給カートリッジ９の装置本体100ａに対する取り出し順に関わらず、補給開口34を閉じた後、現像剤受入開口16ａを閉じる。従って、プロセスカートリッジ７、補給カートリッジ９を装置本体100ａから取り出す際に、現像剤が飛散するを抑制できる。
【０２５８】
また、前述したとおり、プロセスカートリッジ７の有する受入開口16ａは補給カートリッジ９が装置本体100ａに装着されていない場合には開放されない。従って、補給カートリッジ９が装置本体100ａに装着されていない状態で、プロセスカートリッジ７が装着された状態で放置されても、プロセスカートリッジ７内へ異物等の混入がない。
【０２５９】
そして、プロセスカートリッジ７、及び補給カートリッジ９の装置本体100ａに対する装着順を問わず、プロセスカートリッジ７、補給カートリッジ９の装着動作に応じて補給側シャッタ35、受入側シャッタ65を開放することが可能である。
【０２６０】
さらに、プロセスカートリッジ７、補給カートリッジ９の装置本体100ａに対する取り出し順を問わず、プロセスカートリッジ７、補給カートリッジ９の取り出し動作に応じて補給側シャッタ35、受入側シャッタ65を閉じることが可能である。
【０２６１】
従って、プロセスカートリッジ７、補給カートリッジ９の装置本体100ａに対する装着順を問わず、プロセスカートリッジ７、補給カートリッジ９の装着動作に応じて、補給側シャッタ35、受入側シャッタ65の開閉状態を切り換えることが可能である。
【０２６２】
つまり、操作者がプロセスカートリッジ７、及び補給カートリッジ９を装置本体100ａ対して着脱する際に、着脱順を問わない。従って、操作者の煩わしさを解消し操作者の着脱操作性を向上することができる。
【０２６３】
また、受入側シャッタ65が受入開口16ａを開放した状態の場合のみ、カートリッジ側移動部材62の突起部62ｂと補給側移動部材32の突起部32ｂおよび凹部32ｃとが係合可能である。
【０２６４】
従って、移動部材32、62が、プロセスカートリッジ７のシャッタが開放状態であることを検知するための検知部も兼ねる。そのため、新たに検知機構を追加する必要がない。また、操作者が誤ってプロセスカートリッジ７のシャッタ65を開放した状態でプロセスカートリッジ７を装置本体100へ装着した後に、補給カートリッジ９を装着したとしても、移動部材32、62が係合しない。
【０２６５】
このため、補給カートリッジ９の装着は不完全となる。これによって、操作者はプロセスカートリッジ７の装着が完全に行われていないことを認識することができる。
【０２６６】
〔第２実施形態〕
次に、図14乃至図16を参照して、第２実施形態に係るシャッタ機構について説明する。第２実施形態は、シャッタ部が回転移動ではなくて、水平方向へスライド移動する構成である。なお、本実施形態の現像剤補給カートリッジやプロセスカートリッジ等の基本構成は前述した実施形態と同一であるため重複する説明は省略する。そして、ここでは本実施形態の特徴となる現像剤補給カートリッジ及びプロセスカートリッジに用いられるシャッタ機構について説明する。また、前述した実施形態と同一機能を有する部材には同一符号を付す。
【０２６７】
図14は補給カートリッジ９のシャッタ付近の分解斜視図である。図15はプロセスカートリッジ７のシャッタ付近の斜視図である。図16は補給カートリッジ９のシャッタ付近の動作状態図である。
【０２６８】
まず、本実施の形態における補給カートリッジ９のシャッタ構成を説明する。
【０２６９】
図14に示すように、プロセスカートリッジ７、補給カートリッジ９が装置本体100ａに装着された状態で、補給カートリッジ９の現像剤収容部33の下面にはＴハウジング46が固定されている。そして、Ｔハウジング46にはプロセスカートリッジ７の受入開口16ａに対応したＴハウジング開口46ａが設けられている。また、Ｔハウジング開口46ａの両端には溝部46ｂ、46ｃとストッパ部46ｄが設けられている。そして、Ｔハウジング開口46ａの下部には補給側シャッタ82が配置されている。
【０２７０】
この補給側シャッタ82は、Ｔハウジング開口46ａを開閉するシャッタ部（補給側シャッタ部）82ａと、プロセスカートリッジ７と係合して開閉力を得るための補給側移動部82ｂとを有する。シャッタ部82ａには補給側シャッタ連通口82ｃと被係合部82ｄ、82ｅ及び爪部82ｆが設けられている。一方、補給側移動部82ｂには斜面と平面部とで構成されるガイド溝82ｂ１が設けられている。
【０２７１】
補給カートリッジ９のシャッタ付近の組み立て方法について説明する。
【０２７２】
まず、Ｔハウジング46の溝部46ｂ、46ｃに、補給側シャッタ82の被係合部82ｄ、82ｅを合わせる。そして、補給側シャッタ82の爪部82ｆがストッパ部46ｄを乗り越えるところまで挿入する。これにより、シャッタ82は被係合部82ｄ、82ｅ、及び溝部46ｂ・46ｃによって、水平方向にスライド可能に保持される。また、爪部82ｆとストッパ部46ｄによりシャッタ82が補給カートリッジ９から脱落するのを防止する。そして、シャッタ82のスライド移動に伴って、補給側シャッタ連通口85とＴハウジング開口46ａとが対向した位置では、補給カートリッジ９から現像剤が補給可能となる。
【０２７３】
次に、本実施の形態におけるプロセスカートリッジ７のシャッタ構成を説明する。
【０２７４】
本実施の形態に用いられる受入側移動部材（受入側移動部）90には、図15に示すように突起形状の作用部90ａ、90ｂが設けられている。作用部90ａ、90ｂは受入側シャッタ（受入側シャッタ部）65が、現像ハウジング80の現像剤受入開口80ａへ現像剤の受入が可能な開放状態では、図15に示すように補給カートリッジ９と対向する向きに位置（現像剤補給許容位置）する。シャッタ付近の他の構成については、第１実施形態で説明した構成と同様のため、説明は省略する。
【０２７５】
続いて、補給カートリッジ９が装着されている装置本体100ａにプロセスカートリッジ７を装着する場合について、図16を用いて説明する。
【０２７６】
プロセスカートリッジ７の装着過程において、途中までは第１実施形態と同様である。すなわち、移動部材90が移動して、受入開口80ａが現像剤を受入可能な開放状態になった後、移動部材90が規制部材68によって回動を規制された規制状態となるまでは第１実施形態と同様である。そのため説明を省略する。前述したように、受入開口80ａが現像剤受入可能な開放状態にあるとき、移動部材90に設けられた作用部90ａもしくは90ｂは補給カートリッジ９と対向する向きに位置（現像剤補給停止位置）（図16参照）している。
【０２７７】
この場合、現像剤補給カートリッジ９のＴハウジング開口46ａは連通口82ｃと対向した位置にないので、現像剤の補給が不可能な閉鎖状態にある。この状態からプロセスカートリッジ７をさらに装置本体100ａの奥へ進入させる。すると、作用部90ａもしくは作用部90ｂは矢印Ｋ方向（図16(ａ)）へ移動する。そして、作用部90ａもしくは作用部90ｂとガイド溝82ｂ１とが係合する。
【０２７８】
プロセスカートリッジ７をさらに装置本体100ａ内へ進入させると、作用部90ａもしくは作用部90ｂがガイド溝82ｂ１に設けられた斜面部82ｂ３と平面部82ｂ２によってガイドされる。このため、溝部46ｂと溝部46ｃとによってスライド可能に保持されている補給側シャッタ82が矢印Ｌ方向（図16(ｂ)）へ移動する。即ち、シャッタ82が水平方向へ移動する。
【０２７９】
プロセスカートリッジ７が、装着を完了した位置（図16(ｂ)に示す）に達する。すると、作用部90ａもしくは作用部90ｂがガイド溝82ｂ１の平面部82ｂ２に保持され、補給側シャッタ82の連通口82ｃとＴハウジング開口46ａとが対向した位置となる。このため、Ｔハウジング開口46ａは、補給カートリッジ９からプロセスカートリッジ７へ現像剤の補給が可能な開放状態となる。
【０２８０】
プロセスカートリッジ７、及び補給カートリッジ９が装着されている装置本体100ａからプロセスカートリッジ７を取り外す場合には、前記説明とは逆の順序で補給側シャッタ82、規制部材68、移動部材90、及び、受入側シャッタ65がそれぞれ動作する。
【０２８１】
従って、プロセスカートリッジ７が装着されていない状態では、装置本体100ａ内に装着されている補給カートリッジ９のハウジング開口46ａと連通口82ｃは対向しない位置に位置している。このため、ハウジング開口46ａは、プロセスカートリッジ７への現像剤の補給が不可能な閉鎖状態である。
【０２８２】
なお、プロセスカートリッジ７が装着されている装置本体100ａに補給カートリッジ９を装着する場合、及び、補給カートリッジ９とプロセスカートリッジ７が装着されている装置本体100から補給カートリッジ９を取り外す場合も動作は同じなので説明は省略する。
【０２８３】
本実施形態にあっても前述した第１実施形態で述べたものと同様に、省スペース化・トナー飛散の抑制等について同じ効果が得られる。
【０２８４】
本実施形態においては、補給側シャッタ82がシャッタ部82ａと移動部82ｂを一体化した構成について述べた。しかしながら、本実施の形態では、補給側シャッタ82がハウジング開口を開閉する補給側シャッタとプロセスカートリッジの作用部から力を受ける補給側移動部材とに別体化した構成であっても良い。
【０２８５】
このように、本実施の形態では、シャッタ82が水平方向へスライド移動する。これによって、補給開口34を開閉することができる。
【０２８６】
〔第３実施形態〕
以下に、図19〜図22を用いて、本発明を適用可能な補給カートリッジ９及びプロセスカートリッジ７に用いられるシャッタ機構の第三の実施形態について説明する。この第三の実施形態は、アウターカバーを設けた例である。
【０２８７】
図19は補給カートリッジ９の補給側移動部材に作用するストッパ構成の斜視図である。図20は補給カートリッジ９のストッパ付近の動作状態図である。図21は補給カートリッジ９のアウターカバー構成の斜視図である。図22は現像剤補給カートリッジ９のアウターカバー付近の動作状態図である。
【０２８８】
本実施の形態においては、プロセスカートリッジ７のシャッタ構成および補給カートリッジ９のシャッタ構成は前述した実施形態１と同様の構成なので説明を省略する。
【０２８９】
[補給カートリッジの補給側移動部材のストッパ構成]
補給カートリッジ９の移動部材32の移動規制（ストッパ）を行う構成について図19を用いて説明する。
【０２９０】
現像剤収容部33には移動部材32の移動を規制するためのＴ規制部材140とＴ規制解除部材141が配置される。
【０２９１】
規制部材140は現像剤収容部33に設けられたスライドレール142，143の爪部142ａ，143ａによって上下方向（矢印Ｍ方向）へスライド可能に保持されている。
【０２９２】
そして、解除部材141は、解除部材141の穴部141ａが現像剤収容部33に設けられた軸部144と脱落防止部材147によって回動可能に支持される。さらに、解除部材141には規制部材140の係合軸140ａと係合する係合穴141ｂが設けられている。また、解除部材141の回動中心となる穴部141ａを挟んで係合穴141ｂの反対側には、装置本体100から駆動力を受ける力受軸部141ｃが設けられている。この駆動力によって、解除部材141を回動させる。
【０２９３】
そして、現像剤収容部33と解除部材141との間に設けられたコイルバネ145の弾性力により、解除部材141が時計周りの方向（図19矢印Ｎ方向）へ付勢される。この付勢力により、解除部材141と係合する規制部材140は常に下方に付勢される。
【０２９４】
このホームポジション状態（規制位置）では、規制部材140に設けられた規制凹部140ｂと移動部材32の突起部32ｂ（32ｂ１，32ｂ３）とが係合する。これにより、移動部材32の移動が規制される。
【０２９５】
[補給側移動部材のストッパの動作説明]
図20を用いて、補給カートリッジ９を装置本体100に進入する際の規制部材140の動作について説明する。
【０２９６】
前述のように、補給カートリッジ９が装置本体100に装着されていない場合には、凹部140ｂが、移動部材32の突起部32ｂ（32ｂ１，32ｂ３）と係合した状態となっている。そのため、移動部材32の移動は規制されている。
【０２９７】
従って、操作者が誤って移動部材32に触れたり、物流過程において補給カートリッジ９に振動が加わったりしても、移動部材32が移動しない。
【０２９８】
次に補給カートリッジ９を前述の装置本体100ａに設けた本体レール101ａ、101ｂに乗せて装置本体100ａ内へ進入する（補給カートリッジ９は矢印Ａ方向（図20(ａ)）へ移動する）。
【０２９９】
補給カートリッジ９を図20(ｂ)の位置まで挿入すると、解除部材141の力受軸部141ｃが本体レール101ａのガイド146の斜面部146ａと接触する。
【０３００】
そして、補給カートリッジ９の進入に伴って、軸部141ｃが斜面部146ａにガイドされる。これによって、解除部材141が、弾性力（バネ力）に抗して、反時計回りの方向（図20(ｂ)矢印Ｐ方向）へ移動する。尚、解除部材141は、コイルバネ145の弾性力によって時計回りの方向へ付勢されている。この移動により、下方の規制位置に位置していた規制部材140が現像剤収納部33内で上方（図20(ｂ)の矢印Ｑ方向）の許容位置へ移動していく。
【０３０１】
さらに補給カートリッジ９を進入し、軸部141ｃがガイド面146の平面部146ｂに到達すると、凹部140ｂと突起部32ｂ（図６中の32ｂ１もしくは32ｂ３）の係合が解除される。そして、移動部材32は回転を許容された状態となる（図20(ｃ)）。
【０３０２】
この状態で前述の移動部材32を移動させていくと連通口44ａが開放される。そして、補給カートリッジ９からプロセスカートリッジ７へ現像剤の補給が可能となる。
【０３０３】
従って、規制部材140による移動部材32の移動の規制を解除する動作は、移動部材32の移動による連通口44ａの開放よりも前に実施されるように、長手方向で本体レール101のガイド面146（146ａ，146ｂ）は配置されている。このため、規制部材はシャッタ部82ａの開閉動作を妨げることがなく、使用時以外での移動部材32の移動を規制することができる。
【０３０４】
[補給カートリッジのＴアウターカバーの構成]
図21に示すように、補給カートリッジ９のハウジング44の下面にはＴアウターカバー148が配置されている。カバー148は、ハウジング44の連通口44ａを覆うカバー部148ａと、現像剤収容部33の軸部149に支持される軸穴148ｂを有する。また、カバー148は、プロセスカートリッジ７の現像ハウジング45またはシール部材67と接触してカバー148を連通口44ａから退避させる被押圧面148ｃ１，148ｃ２を有する。
【０３０５】
また、カバー148は、軸部149と実質的には同軸線上に配置されたコイルバネ150によって、外部から力を受けない状態では連通口44ａを覆う位置に配置されている。
【０３０６】
[Ｔアウターカバー部の駆動構成]
補給カートリッジ９もしくはプロセスカートリッジ７のいずれか一方のみが装置本体100ａに装着された状態で、他方のカートリッジを装着する過程におけるカバー148の退避動作について、図22を用いて説明する。
【０３０７】
まず、プロセスカートリッジ７が先に装着された装置本体100ａに、後から補給カートリッジ９を装着する場合について説明する。
【０３０８】
補給カートリッジ９を装置本体100に設けた本体レール101ａ、101ｂに乗せて図中矢印Ａ方向へ挿入する（図22(ａ)）。
【０３０９】
補給カートリッジ９を図22(ｂ)の位置まで挿入すると、カバー148の被押圧面148ｃ１が図22(ｂ)中において二点鎖線で示す、プロセスカートリッジ７のシール部材67と接触する。
【０３１０】
そして、補給カートリッジ９の進入に伴って、押圧面148ｃ１がシール部材67によって押圧される。これによって、コイルバネ150によって連通口44ａを覆う位置に配置されていたカバー148がバネ力に抗して、時計回りの方向（図中Ｒ方向）へ移動する。
【０３１１】
さらに補給カートリッジ９の装置本体100への装着が完了する前には、カバー148が連通口44ａから退避した状態となる。従って補給カートリッジ９から現像剤の補給が可能な状態となる（図22(ｃ)）。
【０３１２】
そして、プロセスカートリッジ７および補給カートリッジ９が装着されている装置本体100ａから補給カートリッジ９を取り外す場合には、上記説明とは逆の順序（図22(ｃ)→図22(ｂ)→図22(ａ)）でカバー148が動作する。
【０３１３】
従って、補給カートリッジ９が取り外された際にはコイルバネ150の付勢力によってカバー148が連通口44ａを覆う位置に戻る。
【０３１４】
次に、プロセスカートリッジ７および補給カートリッジ９が装着されている装置本体100ａからプロセスカートリッジ７を取り外す場合について説明する。
【０３１５】
プロセスカートリッジ７は矢印Ｓ方向（図22(ｄ)）へ移動していく。プロセスカートリッジ７を取り外す過程で被押圧面148ｃ１がシール部材67によって押圧されている間は、カバー148が連通口34ａから退避した状態のままである（図22(ｄ)）。
【０３１６】
その後、さらにプロセスカートリッジ７を取り外す方向へ引き出して、シール部材67と被押圧面148ｃ１が接触しない位置に達すると、コイルバネ150の付勢力によって、カバー148が連通口34ａ覆う位置に戻る。
【０３１７】
従って、補給カートリッジ９が取り外された際には、コイルバネ150の付勢力によって、カバー148が連通口44ａを覆う位置に戻る（図22(ｅ)）。
【０３１８】
つまり、どちらのカートリッジ７・９を先に抜いても、一方のカートリッジが抜かれていく過程でＴアウターカバー148が連通口34ａ44ａを覆うように構成されている。
【０３１９】
また、前述とは反対に、補給カートリッジ９が先に装着されている装置本体100に、後からプロセスカートリッジ９を装着する場合には、被押圧面148ｃ２をシール部材67が押圧する。これにより、前述と同様にコイルバネ150によって連通口44ａを覆う位置に配置されていたカバー148が弾性力（バネ力）に抗して移動する。そして、カバー148が連通口44ａから退避した状態となる。
【０３２０】
このように構成することによって、現像剤を補給する部分は使用状態以外では常にカバー148によって覆われる。従って、補給カートリッジ９を装置本体100ａに着脱する際、操作者にとって見にくい、補給カートリッジ９の下面部に設けられた現像剤の補給部分に操作者が不用意に触れることを防止する。
【０３２１】
なお、プロセスカートリッジ７が装着されている装置本体100ａにカートリッジ９を装着する場合や、カートリッジ９とプロセスカートリッジ７が装着されている装置本体100ａから補給カートリッジ９を取り外す場合も動作は同じなので説明は省略する。
【０３２２】
本実施形態にあっても、前述した第１実施形態で述べたものと同様に、省スペース化、現像剤の飛散を抑制する等の効果が得られる。
【０３２３】
なお、前述した各実施形態においては、補給カートリッジ及びプロセスカートリッジを各々４個用いるカラー電子写真画像形成装置を例に挙げて説明した。しかしながら、本発明はこれに限定されることはない。例えば、単色の電子写真画像形成装置に用いられる現像剤補給カートリッジ及びプロセスカートリッジにおいても本発明は適用することができる。また、本発明は、それを用いる電子写真画像形成装置にも適用することができる。
【０３２４】
また、前述した通り、本発明は、受入側シャッタと受入側移動部材、及び、補給側シャッタと補給側移動部材とが別体であっても一体であっても適応可能である。
【０３２５】
別体の場合には、前述した効果に加えて、組み付けが容易にできる効果がある。
【０３２６】
また、一体の場合に、部品件数が減少できる効果がある。
【０３２７】
また前述した実施形態においては、作用部は突起部を有する構成を説明した。しかしながら、本発明は前述した実施形態には限定されない。本発明は、例えば、作用部に摩擦部材を設けて、櫂動抵抗を高めても良い。作用部が突起部を有する構成の場合には、駆動力の伝達をより確実に行うことができる
【符号の説明】
【０３２８】
１ …感光体ドラム（電子写真感光体ドラム）
７ …プロセスカートリッジ
８ …クリーニング装置
９ …現像剤補給カートリッジ
16 …受入側現像剤収容部
16ａ …現像剤受入開口
17 …現像ローラ
31ａ …第二係合部材(係合部材)
31ｂ …第一係合部材(係合部材)
32 …補給側移動部材（補給側移動部）
32ｂ（32ｂ1，32ｂ2，32ｂ3，32ｂ4） …突起部
33 …補給側現像剤収容部
34 …現像剤補給開口
35 …補給側シャッタ（補給側シャッタ部）（回転部材）
62 …受入側移動部材（受入側移動部）
62ｂ（62ｂ1，62ｂ2，62ｂ3，62ｂ4） …突起部（受入側作用部）
65 …受入側シャッタ（受入側シャッタ部）（回転部材）
67 …シール部材
68 …規制部材
70 …圧縮バネ
82 …補給側シャッタ（補給側シャッタ）（回転部材）
90 …受入側移動部材（受入側移動部）
95 …補給側シャッタ（補給側シャッタ部）（回転部材）
96 …97 …受入側シャッタ（受入側シャッタ部）（回転部材）
100 …画像形成装置100ａ…画像形成装置本体
【図１】
2011070236.tif 000003
【図２】
2011070236.tif 000004
【図３】
2011070236.tif 000005
【図４】
2011070236.tif 000006
【図５】
2011070236.tif 000007
【図６】
2011070236.tif 000008
【図７】
2011070236.tif 000009
【図８】
2011070236.tif 000010
【図９】
2011070236.tif 000011
【図１０】
2011070236.tif 000012
【図１１】
2011070236.tif 000013
【図１２】
2011070236.tif 000014
【図１３ａ】
2011070236.tif 000015
【図１３ｂ】
2011070236.tif 000016
【図１４】
2011070236.tif 000017
【図１５】
2011070236.tif 000018
【図１６】
2011070236.tif 000019
【図１７】
2011070236.tif 000020
【図１８】
2011070236.tif 000021
【図１９】
2011070236.tif 000022
【図２０ａ】
2011070236.tif 000023
【図２０ｂ】
2011070236.tif 000024
【図２０ｃ】
2011070236.tif 000025
【図２１】
2011070236.tif 000026
【図２２ａ】
2011070236.tif 000027
【図２２ｂ】
2011070236.tif 000028
【図２２ｃ】
2011070236.tif 000029
【図２２ｄ】
2011070236.tif 000030
【図２２ｅ】
2011070236.tif 000031
【図２３】
2011070236.tif 000032
【図２４】
2011070236.tif 000033
【図２５】
2011070236.tif 000034
【図２６】
2011070236.tif 000035
【図２７】
2011070236.tif 000036
【図２８】
2011070236.tif 000037